(57)【要約】【課題】簡単な構成で、汎用の表示装置の表示パネルに取り付けてもモアレが発生しにくく、しかも、高歩留まりで生産することができる導電性フイルム及びそれを備えた表示装置を提供する。【解決手段】導電性フイルム１０は、透明基体１２と、透明基体１２の一方の主面に形成された導電部１４とを有し、導電部１４は、それぞれ第１方向に延在し、且つ、第１方向と直交する第２方向に配列された金属細線による２以上の導電パターン２０を有し、導電パターン２０は、２以上の感知部が第１方向に接続されて構成され、各感知部の第２方向に沿った長さをＬｖ、第１方向に沿った長さをＬｈとしたとき、０．５７＜Ｌｖ／Ｌｈ＜１．７４を満足する。【選択図】図１
2012163933.tif 000002
【特許請求の範囲】
【請求項１】
基体と、
基体の一方の主面に形成された導電部とを有し、
前記導電部は、それぞれ第１方向に延在し、且つ、前記第１方向と直交する第２方向に配列された金属細線による２以上の導電パターンを有し、
前記導電パターンは、２以上の感知部が前記第１方向に接続されて構成され、
各前記感知部の前記第２方向に沿った長さをＬｖ、前記第１方向に沿った長さをＬｈとしたとき、
０．５７＜Ｌｖ／Ｌｈ＜１．７４
を満足することを特徴とする導電性フイルム。
【請求項２】
請求項１記載の導電性フイルムにおいて、
０．５７＜Ｌｖ／Ｌｈ＜１．００
を満足することを特徴とする導電性フイルム。
【請求項３】
請求項１記載の導電性フイルムにおいて、
０．６２＜Ｌｖ／Ｌｈ＜０．８１
を満足することを特徴とする導電性フイルム。
【請求項４】
請求項１記載の導電性フイルムにおいて、
１．００＜Ｌｖ／Ｌｈ＜１．７４
を満足することを特徴とする導電性フイルム。
【請求項５】
請求項１記載の導電性フイルムにおいて、
１．２３＜Ｌｖ／Ｌｈ＜１．６１
を満足することを特徴とする導電性フイルム。
【請求項６】
基体と、
基体の一方の主面に形成された第１導電部と、
基体の他方の主面に形成された第２導電部とを有し、
前記第１導電部は、それぞれ第１方向に延在し、且つ、前記第１方向と直交する第２方向に配列された２以上の第１導電パターンを有し、
前記第２導電部は、それぞれ第２方向に延在し、且つ、前記第１方向に配列された２以上の第２導電パターンを有し、
前記第１導電パターンは、２以上の第１の感知部が前記第１方向に接続されて構成され、
前記第２導電パターンは、２以上の第２の感知部が前記第２方向に接続されて構成され、
各前記第１の感知部の前記第２方向に沿った長さをＬｖａ、前記第１方向に沿った長さをＬｈａとし、
各前記第２の感知部の前記第２方向に沿った長さをＬｖｂ、前記第１方向に沿った長さをＬｈｂとしたとき、
０．５７＜Ｌｖａ／Ｌｈａ＜１．７４
０．５７＜Ｌｖｂ／Ｌｈｂ＜１．７４
を満足することを特徴とする導電性フイルム。
【請求項７】
請求項６記載の導電性フイルムにおいて、
０．５７＜Ｌｖａ／Ｌｈａ＜１．００
０．５７＜Ｌｖｂ／Ｌｈｂ＜１．００
を満足することを特徴とする導電性フイルム。
【請求項８】
請求項６記載の導電性フイルムにおいて、
０．６２＜Ｌｖａ／Ｌｈａ＜０．８１
０．６２＜Ｌｖｂ／Ｌｈｂ＜０．８１
を満足することを特徴とする導電性フイルム。
【請求項９】
請求項６記載の導電性フイルムにおいて、
１．００＜Ｌｖａ／Ｌｈａ＜１．７４
１．００＜Ｌｖｂ／Ｌｈｂ＜１．７４
を満足することを特徴とする導電性フイルム。
【請求項１０】
請求項６記載の導電性フイルムにおいて、
１．２３＜Ｌｖａ／Ｌｈａ＜１．６１
１．２３＜Ｌｖｂ／Ｌｈｂ＜１．６１
を満足することを特徴とする導電性フイルム。
【請求項１１】
請求項１又は６記載の導電性フイルムにおいて、
各前記感知部がそれぞれ複数の金属細線によるメッシュパターンにて構成され、
前記金属細線のピッチが１００〜４００μｍであることを特徴とする導電性フイルム。
【請求項１２】
請求項１又は６記載の導電性フイルムにおいて、
各前記感知部がそれぞれ複数の金属細線によるメッシュパターンにて構成され、
前記金属細線の線幅が３０μｍ以下であることを特徴とする導電性フイルム。
【請求項１３】
請求項１又は６記載の導電性フイルムにおいて、
前記感知部は複数の小格子にて構成され、
各前記小格子の前記第２方向に沿った長さをＬｖｓ、前記第１方向に沿った長さをＬｈｓとしたとき、
０．５７＜Ｌｖｓ／Ｌｈｓ＜１．７４
を満足することを特徴とする導電性フイルム。
【請求項１４】
請求項１又は６記載の導電性フイルムにおいて、
前記感知部の辺の周囲に、複数の補助線からなる補助パターンが配列されて構成され、
前記補助パターンは、２つの前記補助線がＬ字状に組み合わされたＬ字状パターンを有することを特徴とする導電性フイルム。
【請求項１５】
基体と、
基体の一方の主面に形成された導電部とを有し、
前記導電部は、メッシュパターンから構成されており、当該メッシュパターンの開口部はひし形状を有し、
前記ひし形状の一方の対角線の長さをＬｖ、他方の対角線の長さをＬｈとしたとき、
０．５７＜Ｌｖｐ／Ｌｈｐ＜１．７４
を満足することを特徴とする導電性フイルム。
【請求項１６】
表示パネル上に設置された導電性フイルムを備える表示装置であって、
前記導電性フイルムは、
基体と、
基体の一方の主面に形成された導電部とを有し、
前記表示装置の画素の配列方向を第１方向としたとき、
前記導電部は、それぞれ第１方向に延在し、且つ、前記第１方向と直交する第２方向に配列された金属細線による２以上の導電パターンを有し、
前記導電パターンは、２以上の感知部が前記第１方向に接続されて構成され、
各前記感知部の前記第２方向に沿った長さをＬｖ、前記第１方向に沿った長さをＬｈとしたとき、
０．５７＜Ｌｖ／Ｌｈ＜１．７４
を満足することを特徴とする表示装置。
【請求項１７】
表示パネル上に設置された導電性フイルムを備える表示装置であって、
前記導電性フイルムは、
基体と、
基体の一方の主面に形成された第１導電部と、
基体の他方の主面に形成された第２導電部とを有し、
前記表示装置の画素の配列方向を第１方向としたとき、
前記第１導電部は、それぞれ第１方向に延在し、且つ、前記第１方向と直交する第２方向に配列された２以上の第１導電パターンを有し、
前記第２導電部は、それぞれ第２方向に延在し、且つ、前記第１方向に配列された２以上の第２導電パターンを有し、
前記第１導電パターンは、２以上の第１の感知部が前記第１方向に接続されて構成され、
前記第２導電パターンは、２以上の第２の感知部が前記第２方向に接続されて構成され、
各前記第１の感知部の前記第２方向に沿った長さをＬｖａ、前記第１方向に沿った長さをＬｈａとし、
各前記第２の感知部の前記第２方向に沿った長さをＬｖｂ、前記第１方向に沿った長さをＬｈｂとしたとき、
０．５７＜Ｌｖａ／Ｌｈａ＜１．７４
０．５７＜Ｌｖｂ／Ｌｈｂ＜１．７４
を満足することを特徴とする表示装置。
【請求項１８】
請求項１６又は１７記載の表示装置において、
各前記感知部がそれぞれ複数の金属細線によるメッシュパターンにて構成され、
前記金属細線のピッチが１００〜４００μｍであることを特徴とする表示装置。
【請求項１９】
請求項１６又は１７記載の表示装置において、
各前記感知部がそれぞれ複数の金属細線によるメッシュパターンにて構成され、
前記金属細線の線幅が３０μｍ以下であることを特徴とする表示装置。
【請求項２０】
請求項１６又は１７記載の表示装置において、
前記感知部は複数の小格子にて構成され、
各前記小格子の前記第２方向に沿った長さをＬｖｓ、前記第１方向に沿った長さをＬｈｓとしたとき、
０．５７＜Ｌｖｓ／Ｌｈｓ＜１．７４
を満足することを特徴とする表示装置。
【請求項２１】
請求項１６又は１７記載の表示装置において、
前記感知部の辺の周囲に、複数の補助線からなる補助パターンが配列されて構成され、
前記補助パターンは、２つの前記補助線がＬ字状に組み合わされたＬ字状パターンを有することを特徴とする表示装置。
【請求項２２】
表示パネル上に設置された導電性フイルムを備える表示装置であって、
前記導電性フイルムは、
基体と、
基体の一方の主面に形成された導電部とを有し、
前記導電部は、メッシュパターンから構成されており、当該メッシュパターンの開口部はひし形状を有し、
前記ひし形状の一方の対角線の長さをＬｖ、他方の対角線の長さをＬｈとしたとき、
０．５７＜Ｌｖｐ／Ｌｈｐ＜１．７４
を満足することを特徴とする表示装置。
【発明の詳細な説明】
【技術分野】
【０００１】
本発明は、導電性フイルム及びそれを備えた表示装置に関する。
【背景技術】
【０００２】
表示装置の表示パネル上に設置される導電性フイルムとしては、例えば電磁波シールド用の導電性フイルム（例えば特許文献１及び２参照）やタッチパネル用の導電性フイルム（例えば特許文献３参照）等が挙げられる。
これらの導電性フイルムは、透明基体上に格子パターンを形成するようにしており、特許文献１では格子パターンの交差部に隣接してモアレ抑止部を形成し、特許文献２では格子パターンを有する電磁波シールドフイルムと、モアレ抑止部を配置したモアレ抑止フイルムとを貼付することにより、モアレの発生を抑制するようにしている。
【先行技術文献】
【特許文献】
【０００３】
【特許文献１】特開２００８−２８２９２４号公報
【特許文献２】特開２００９−０９４４６７号公報
【特許文献３】特開２０１０−１０８８７７号公報
【発明の概要】
【発明が解決しようとする課題】
【０００４】
本発明は、上述した特許文献１〜３とは異なった簡単な構成で、汎用の表示装置の表示パネルに取り付けてもモアレが発生しにくく、しかも、高歩留まりで生産することができる導電性フイルム及びそれを備えた表示装置を提供することを目的とする。
【課題を解決するための手段】
【０００５】
［１］  第１の本発明に係る導電性フイルムは、基体と、基体の一方の主面に形成された導電部とを有し、前記導電部は、それぞれ第１方向に延在し、且つ、前記第１方向と直交する第２方向に配列された金属細線による２以上の導電パターンを有し、前記導電パターンは、２以上の感知部が前記第１方向に接続されて構成され、各前記感知部の前記第２方向に沿った長さをＬｖ、前記第１方向に沿った長さをＬｈとしたとき、０．５７＜Ｌｖ／Ｌｈ＜１．７４を満足することを特徴とする。
［２］  第１の本発明において、０．５７＜Ｌｖ／Ｌｈ＜１．００を満足することを特徴とする。
［３］  第１の本発明において、０．６２＜Ｌｖ／Ｌｈ＜０．８１を満足することを特徴とする。
［４］  第１の本発明において、１．００＜Ｌｖ／Ｌｈ＜１．７４を満足することを特徴とする。
［５］  第１の本発明において、１．２３＜Ｌｖ／Ｌｈ＜１．６１を満足することを特徴とする。
［６］  第２の本発明に係る導電性フイルムは、基体と、基体の一方の主面に形成された第１導電部と、基体の他方の主面に形成された第２導電部とを有し、前記第１導電部は、それぞれ第１方向に延在し、且つ、前記第１方向と直交する第２方向に配列された２以上の第１導電パターンを有し、前記第２導電部は、それぞれ第２方向に延在し、且つ、前記第１方向に配列された２以上の第２導電パターンを有し、前記第１導電パターンは、２以上の第１の感知部が前記第１方向に接続されて構成され、前記第２導電パターンは、２以上の第２の感知部が前記第２方向に直列に接続されて構成され、各前記第１の感知部の前記第２方向に沿った長さをＬｖａ、前記第１方向に沿った長さをＬｈａとし、各前記第２の感知部の前記第２方向に沿った長さをＬｖｂ、前記第１方向に沿った長さをＬｈｂとしたとき、０．５７＜Ｌｖａ／Ｌｈａ＜１．７４、０．５７＜Ｌｖｂ／Ｌｈｂ＜１．７４を満足することを特徴とする。
［７］  第２の本発明において、０．５７＜Ｌｖａ／Ｌｈａ＜１．００、０．５７＜Ｌｖｂ／Ｌｈｂ＜１．００を満足することを特徴とする。
［８］  第２の本発明において、０．６２＜Ｌｖａ／Ｌｈａ＜０．８１、０．６２＜Ｌｖｂ／Ｌｈｂ＜０．８１を満足することを特徴とする。
［９］  第２の本発明において、１．００＜Ｌｖａ／Ｌｈａ＜１．７４、１．００＜Ｌｖｂ／Ｌｈｂ＜１．７４を満足することを特徴とする。
［１０］  第２の本発明において、１．２３＜Ｌｖａ／Ｌｈａ＜１．６１、１．２３＜Ｌｖｂ／Ｌｈｂ＜１．６１を満足することを特徴とする。
［１１］  第１及び第２の本発明において、各前記感知部がそれぞれ複数の金属細線によるメッシュパターンにて構成され、前記金属細線のピッチが１００〜４００μｍであることを特徴とする。
［１２］  第１及び第２の本発明において、各前記感知部がそれぞれ複数の金属細線によるメッシュパターンにて構成され、前記金属細線の線幅が３０μｍ以下であることを特徴とする。
［１３］  第１及び第２の本発明において、前記感知部は複数の小格子にて構成され、各前記小格子の前記第２方向に沿った長さをＬｖｓ、前記第１方向に沿った長さをＬｈｓとしたとき、０．５７＜Ｌｖｓ／Ｌｈｓ＜１．７４を満足することを特徴とする。
［１４］  第１及び第２の本発明において、前記感知部の辺の周囲に、複数の補助線からなる補助パターンが配列されて構成され、前記補助パターンは、２つの前記補助線がＬ字状に組み合わされたＬ字状パターンを有することを特徴とする。
［１５］  第３の本発明に係る導電性フイルムは、基体と、基体の一方の主面に形成された導電部とを有し、前記導電部は、メッシュパターンから構成されており、当該メッシュパターンの開口部はひし形状を有し、前記ひし形状の一方の対角線の長さをＬｖ、他方の対角線の長さをＬｈとしたとき、０．５７＜Ｌｖｐ／Ｌｈｐ＜１．７４を満足することを特徴とする。
［１６］  第４の本発明に係る表示装置は、表示パネル上に設置された導電性フイルムを備える表示装置であって、前記導電性フイルムは、基体と、基体の一方の主面に形成された導電部とを有し、前記表示装置の画素の配列方向を第１方向としたとき、前記導電部は、それぞれ第１方向に延在し、且つ、前記第１方向と直交する第２方向に配列された金属細線による２以上の導電パターンを有し、前記導電パターンは、２以上の感知部が前記第１方向に接続されて構成され、各前記感知部の前記第２方向に沿った長さをＬｖ、前記第１方向に沿った長さをＬｈとしたとき、０．５７＜Ｌｖ／Ｌｈ＜１．７４を満足することを特徴とする。
［１７］  第５の本発明に係る表示装置は、表示パネル上に設置された導電性フイルムを備える表示装置であって、前記導電性フイルムは、基体と、基体の一方の主面に形成された第１導電部と、基体の他方の主面に形成された第２導電部とを有し、前記表示装置の画素の配列方向を第１方向としたとき、前記第１導電部は、それぞれ第１方向に延在し、且つ、前記第１方向と直交する第２方向に配列された２以上の第１導電パターンを有し、前記第２導電部は、それぞれ第２方向に延在し、且つ、前記第１方向に配列された２以上の第２導電パターンを有し、前記第１導電パターンは、２以上の第１の感知部が前記第１方向に接続されて構成され、前記第２導電パターンは、２以上の第２の感知部が前記第２方向に接続されて構成され、各前記第１の感知部の前記第２方向に沿った長さをＬｖａ、前記第１方向に沿った長さをＬｈａとし、各前記第２の感知部の前記第２方向に沿った長さをＬｖｂ、前記第１方向に沿った長さをＬｈｂとしたとき、０．５７＜Ｌｖａ／Ｌｈａ＜１．７４、０．５７＜Ｌｖｂ／Ｌｈｂ＜１．７４を満足することを特徴とする。
［１８］  第４及び第５の本発明において、各前記感知部がそれぞれ複数の金属細線によるメッシュパターンにて構成され、前記金属細線のピッチが１００〜４００μｍであることを特徴とする。
［１９］  第４及び第５の本発明において、各前記感知部がそれぞれ複数の金属細線によるメッシュパターンにて構成され、前記金属細線の線幅が３０μｍ以下であることを特徴とする。
［２０］  第４及び第５の本発明において、前記感知部は複数の小格子にて構成され、各前記小格子の前記第２方向に沿った長さをＬｖｓ、前記第１方向に沿った長さをＬｈｓとしたとき、０．５７＜Ｌｖｓ／Ｌｈｓ＜１．７４を満足することを特徴とする。
［２１］  第４及び第５の本発明において、前記感知部の辺の周囲に、複数の補助線からなる補助パターンが配列されて構成され、前記補助パターンは、２つの前記補助線がＬ字状に組み合わされたＬ字状パターンを有することを特徴とする。
［２２］  第６の本発明に係る表示装置は、表示パネル上に設置された導電性フイルムを備える表示装置であって、前記導電性フイルムは、基体と、基体の一方の主面に形成された導電部とを有し、前記導電部は、メッシュパターンから構成されており、当該メッシュパターンの開口部はひし形状を有し、前記ひし形状の一方の対角線の長さをＬｖ、他方の対角線の長さをＬｈとしたとき、０．５７＜Ｌｖｐ／Ｌｈｐ＜１．７４を満足することを特徴とする。
【発明の効果】
【０００６】
一般に、表示装置に電磁波シールド機能やタッチパネル機能等を付与する場合には、導電性フイルムが必要であり、例えばメッシュパターンを有する導電性フイルムではモアレが生じることがある。しかし、本発明に係る導電性フイルムによれば、表示パネルに設置しても、モアレが発生し難くなる。しかも、高歩留まりで生産することができる。
また、本発明に係る表示装置によれば、表示パネルに本発明に係る導電性フイルムを設置するようにしたので、電磁波シールドやタッチパネルとして使用した場合に、低抵抗化を図ることができると共に、汎用のタッチパネルに使用してもモアレが発生し難い。
【図面の簡単な説明】
【０００７】
【図１】第１の実施の形態に係る導電性フイルムの一例を示す平面図である。
【図２】導電性フイルムの一例を一部省略して示す断面図である。
【図３】導電性フイルムが設置される表示装置の画素配列の一例を一部省略して示す平面図である。
【図４】メッシュ形状（ひし形）の大きさ（縦横比）を説明するための図である。
【図５】表示装置上に導電性フイルムを設置した例を一部省略して示す平面図である。
【図６】導電性フイルムによる積層導電性フイルムを有するタッチパネルの構成を示す分解斜視図である。
【図７】第１の実施の形態に係る積層導電性フイルムを一部省略して示す分解斜視図である。
【図８】図８Ａは積層導電性フイルムの一例を一部省略して示す断面図であり、図８Ｂは積層導電性フイルムの他の例を一部省略して示す断面図である。
【図９】第１の実施の形態に係る第１導電性フイルムに形成される第１導電部のパターン例を示す平面図である。
【図１０】第１大格子の大きさ（縦横比）を説明するための図である。
【図１１】小格子の大きさ（縦横比）を説明するための図である。
【図１２】第１の実施の形態に係る第２導電性フイルムに形成される第２導電部のパターン例を示す平面図である。
【図１３】第２大格子の大きさ（縦横比）を説明するための図である。
【図１４】第１の実施の形態に係る第１導電性フイルムと第２導電性フイルムを組み合わせて積層導電性フイルムとした例を一部省略して示す平面図である。
【図１５】第１補助線と第２補助線によって１つのラインが形成された状態を示す説明図である。
【図１６】第２の実施の形態に係るタッチパネル用導電性フイルムを一部省略して示す分解斜視図である。
【図１７】図１７Ａはタッチパネル用導電性フイルムの一例を一部省略して示す断面図であり、図１７Ｂはタッチパネル用導電性フイルムの他の例を一部省略して示す断面図である。
【図１８】第２の実施の形態に係る第１導電性フイルムに形成される第１導電部のパターン例を示す平面図である。
【図１９】第２の実施の形態に係る第２導電性フイルムに形成される第２導電部のパターン例を示す平面図である。
【図２０】第２の実施の形態に係る第１導電性フイルムと第２導電性フイルムを組み合わせてタッチパネル用導電性フイルムとした例を一部省略して示す平面図である。
【発明を実施するための形態】
【０００８】
以下、本発明に係る導電性フイルム及び導電性フイルムを用いた表示装置の実施の形態例を図１〜図２０を参照しながら説明する。なお、本明細書において数値範囲を示す「〜」は、その前後に記載される数値を下限値及び上限値として含む意味として使用される。
【０００９】
先ず、第１の実施の形態について、図１〜図１５を参照しながら説明する。第１の実施の形態に係る導電性フイルム１０は、図１及び図２に示すように、透明基体１２（図２参照）と、透明基体１２の一方の主面に形成された導電部１４とを有する。導電部１４は、金属製の細線（以下、金属細線１６と記す）と開口部１８によるメッシュパターン２０を有する。金属細線１６は例えば金（Ａｕ）、銀（Ａｇ）又は銅（Ｃｕ）で構成されている。
具体的には、導電部１４は、第１傾斜方向（図１においてｘ方向）に延び、且つ、第２傾斜方向（図１においてｙ方向）にピッチＰｓで並ぶ複数の第１金属細線１６ａと、第２傾斜方向に延び、且つ、第１傾斜方向にピッチＰｓで並ぶ複数の第２金属細線１６ｂとがそれぞれ交差して形成されたメッシュパターン２０を有する。この場合、第１傾斜方向は基準方向（例えば水平方向）に対して＋３０°以上＋６０°以下の角度で傾斜し、第２傾斜方向は基準方向に対して−３０°以上−６０°以下の角度で傾斜している。従って、メッシュパターン２０の１つのメッシュ形状２２、すなわち、１つの開口部１８と、該１つの開口部１８を囲む４つの金属細線１６の組み合わせ形状は、頂角部が６０°以上１２０°以下のひし形となる。
【００１０】
そして、この導電性フイルム１０は、例えば図３に示す表示装置３０の電磁波シールドフイルムや、タッチパネル用の導電性フイルムとして利用される。表示装置３０としては液晶ディスプレイ、プラズマディスプレイ、有機ＥＬ、無機ＥＬ等が挙げられる。
ここで、ピッチＰｓ（細線ピッチＰｓとも記す）は、１００μｍ以上４００μｍ以下から選択可能である。また、金属細線１６の線幅は、３０μｍ以下から選択可能である。導電性フイルム１０を電磁波シールドフイルムとして使用する場合には、金属細線１６の線幅は１μｍ以上２０μｍ以下が好ましく、１μｍ以上９μｍ以下がより好ましく、２μｍ以上７μｍ以下がさらに好ましい。導電性フイルム１０をタッチパネルの導電性フイルムとして使用する場合には、金属細線１６の線幅は０．１μｍ以上１５μｍ以下が好ましく、１μｍ以上９μｍ以下がより好ましく、２μｍ以上７μｍ以下がさらに好ましい。
【００１１】
表示装置３０は、図３に一部を省略して示すように、複数の画素３２がマトリクス状に配列されて構成されている。１つの画素３２は３つの副画素（赤色副画素３２ｒ、緑色副画素３２ｇ及び青色副画素３２ｂ）が水平方向に配列されて構成されている。１つの副画素は垂直方向に縦長とされた長方形状とされている。画素３２の水平方向の配列ピッチ（水平画素ピッチＰｈ）と画素３２の垂直方向の配列ピッチ（垂直画素ピッチＰｖ）はほぼ同じとされている。つまり、１つの画素３２と該１つの画素３２を囲むブラックマトリクスにて構成される形状（網掛けにて示す領域３４を参照）は正方形となっている。また、１つの画素３２のアスペクト比は１ではなく、水平方向（横）の長さ＞垂直方向（縦）の長さとなっている。
【００１２】
ここで、図４に示すように、メッシュ形状２２のひし形の大きさについて説明する。ひし形の垂直方向に関する対角線（一方の対角線）の長さをＬｖｐとし、ひし形の水平方向に関する対角線（他方の対角線）の長さをＬｈｐとしたとき、ひし形の大きさ、すなわち、ひし形の縦横比（Ｌｖｐ／Ｌｈｐ）は、
０．５７＜Ｌｖｐ／Ｌｈｐ＜１．７４
を満足するように設定される。
水平方向がタッチパネル５０が設置される表示装置３０（図３参照）の画素３２の配列方向と同じであれば、上述のひし形の縦横比（Ｌｖｐ／Ｌｈｐ）は、０．５７＜Ｌｖｐ／Ｌｈｐ＜１．００あるいは１．００＜Ｌｖｐ／Ｌｈｐ＜１．７４に設定され、より好ましくは０．６２＜Ｌｖｐ／Ｌｈｐ＜０．８１あるいは１．２３＜Ｌｖｐ／Ｌｈｐ＜１．６１に設定される。
【００１３】
そして、このような画素配列を有する表示装置３０の表示パネル上に導電性フイルム１０を設置すると、図５に示すように、金属細線１６は、表示装置３０における画素３２の水平の配列方向（ｍ方向の配列）に対して一定の傾斜角度θを持つことになる。また、導電性フイルム１０における細線ピッチＰｓと、表示装置３０における１つの画素３２の対角線の長さＬａ１（あるいは縦方向に隣接する２つの画素３２の対角線の長さＬａ２）とがほぼ同じあるいは近接した値となり、導電性フイルム１０における金属細線１６の配列方向と、表示装置３０における１つの画素３２の対角線（あるいは縦方向に隣接する２つの画素３２の対角線）の方向もほぼ同じあるいは近接することとなる。その結果、画素３２の配列周期と金属細線１６の配列周期とのずれが小さくなり、モアレの発生が抑制されることになる。
従って、導電性フイルム１０を例えば電磁波シールドフイルムとして使用する場合、導電性フイルム１０は表示装置３０における表示パネル上に配置されることになるが、上述したように、画素の配列周期と金属細線１６の配列周期とのずれが小さくなり、モアレの発生が抑制される。しかも、メッシュパターン２０を構成する金属細線１６のピッチＰｓを、１００μｍ以上４００μｍ以下とし、金属細線１６の線幅を、３０μｍ以下としたので、高い電磁波シールド性と高い透光性とを同時に持たせることができる。
【００１４】
次に、タッチパネルを有する表示装置、例えば投影型静電容量方式のタッチパネルを有する表示装置について図６〜図１５を参照しながら説明する。
先ず、タッチパネル５０は、センサ本体５２と図示しない制御回路（ＩＣ回路等で構成）とを有する。センサ本体５２は、図６、図７及び図８Ａに示すように、後述する第１導電性フイルム１０Ａと第２導電性フイルム１０Ｂとを積層して構成された積層導電性フイルム５４と、その上に積層された保護層５６（図８Ａでは保護層５６の記述を省略している）とを有する。積層導電性フイルム５４及び保護層５６は、例えば液晶ディスプレイ等の表示装置３０における表示パネル５８上に配置されるようになっている。センサ本体５２は、上面から見たときに、表示パネル５８の表示画面５８ａに対応した領域に配されたセンサ部６０と、表示パネル５８の外周部分に対応する領域に配された端子配線部６２（いわゆる額縁）とを有する。
【００１５】
タッチパネル５０に適用した第１導電性フイルム１０Ａは、図７及び図９に示すように、第１透明基体１２Ａ（図８Ａ参照）の一主面上に形成された第１導電部１４Ａを有する。この第１導電部１４Ａは、それぞれ水平方向（ｍ方向）に延在し、且つ、第３方向と直交する垂直方向（ｎ方向）に配列され、多数の格子にて構成された金属細線１６による２以上の第１導電パターン６４Ａ（メッシュパターン）と、各第１導電パターン６４Ａの周辺に配列された金属細線１６による第１補助パターン６６Ａとを有する。
各第１導電パターン１１６Ａは、２以上の第１大格子６８Ａ（第１感知部）が水平方向に直列に接続されて構成され、各第１大格子６８Ａは、それぞれ２以上の小格子７０が組み合わされて構成されている。また、第１大格子６８Ａの辺の周囲に、第１大格子６８Ａと非接続とされた上述の第１補助パターン６６Ａが形成されている。ｍ方向は、例えば後述する投影型静電容量方式のタッチパネル５０（図６参照）の水平方向（又は垂直方向）あるいはタッチパネル５０を設置した表示パネル５８の水平方向（又は垂直方向）を示す。小格子７０は、ここでは一番小さいひし形とされ、上述した１つのメッシュ形状２２（図１及び図４参照）と同じ形状あるいは相似形状とされている。
【００１６】
ここで、第１大格子６８Ａの大きさについて図１０を参照しながら説明する。先ず、第１大格子６８Ａの４つの辺部（第１辺部６９ａ〜第４辺部６９ｄ）のうち、水平方向（ｍ方向）に隣接する第１辺部６９ａと第２辺部６９ｂとの交点を第１頂点７１ａ、同じく水平方向に隣接する第３辺部６９ｃ（第１辺部６９ａと対向する辺部）と第４辺部６９ｄ（第２辺部６９ｂと対向する辺部）との交点を第２頂点７１ｂとする。
同様に、第１大格子６８Ａの４つの辺部（第１辺部６９ａ〜第４辺部６９ｄ）のうち、垂直方向（ｎ方向）に隣接する第１辺部６９ａの延長線と第４辺部６９ｄとの交点を第３頂点７１ｃ、同じく垂直方向に隣接する第２辺部６９ｂと第３辺部６９ｃの延長線との交点を第４頂点７１ｄとする。
【００１７】
そして、第１頂点７１ａと第２頂点７１ｂ間の垂直方向に沿った距離Ｌｖａを、第１大格子６８Ａの第２方向に沿った長さとし、第３頂点７１ｃと第４頂点７１ｄ間の水平方向に沿った距離Ｌｈａを、第１大格子６８Ａの第１方向に沿った長さとする。
この場合に、第１大格子６８Ａの大きさ、すなわち、第１大格子６８Ａの縦横比（Ｌｖａ／Ｌｈａ）は、
０．５７＜Ｌｖａ／Ｌｈａ＜１．７４
を満足するように設定される。
水平方向（ｍ方向）がタッチパネル５０が設置される表示装置３０（図６参照）の画素の配列方向と同じであれば、上述の第１大格子６８Ａの縦横比（Ｌｖａ／Ｌｈａ）は、０．５７＜Ｌｖａ／Ｌｈａ＜１．００あるいは１．００＜Ｌｖａ／Ｌｈａ＜１．７４に設定され、より好ましくは０．６２＜Ｌｖａ／Ｌｈａ＜０．８１あるいは１．２３＜Ｌｖａ／Ｌｈａ＜１．６１に設定される。
【００１８】
これは、小格子７０においても同様であり、図１１に示すように、垂直方向に関する対角線７０ｖ（一方の対角線）の長さをＬｖｓとし、小格子７０の水平方向に関する対角線７０ｈ（他方の対角線）の長さをＬｈｓとしたとき、小格子７０の大きさ、すなわち、小格子７０の縦横比（Ｌｖｓ／Ｌｈｓ）は、
０．５７＜Ｌｖｓ／Ｌｈｓ＜１．７４
を満足するように設定される。
この場合も、水平方向がタッチパネル５０が設置される表示装置３０（図６参照）の画素の配列方向と同じであれば、上述の小格子７０の縦横比（Ｌｖｓ／Ｌｈｓ）は、０．５７＜Ｌｖｓ／Ｌｈｓ＜１．００あるいは１．００＜Ｌｖｓ／Ｌｈｓ＜１．７４に設定され、より好ましくは０．６２＜Ｌｖｓ／Ｌｈｓ＜０．８１あるいは１．２３＜Ｌｖｓ／Ｌｈｓ＜１．６１に設定される。
また、小格子７０の線幅、すなわち、金属細線１６の線幅は、上述したように、３０μｍ以下から選択可能である。小格子７０の一辺の長さは１００μｍ以上４００μｍ以下から選択可能である。なお、第１大格子６８Ａの第１辺部６９ａ（及び第３辺部６９ｃ）に沿った方向が第１傾斜方向（ｘ方向）であり、第２辺部６９ｂ（及び第４辺部６９ｄ）に沿った方向が第２傾斜方向（ｙ方向）である。
【００１９】
図９に示すように、隣接する第１大格子６８Ａ間には、これら第１大格子６８Ａを電気的に接続する金属細線１６による第１接続部７２Ａが形成されている。第１接続部７２Ａは、ｎ個（ｎは１より大きい実数）の小格子７０が第２傾斜方向（ｙ方向）に配列された大きさの中格子７４が配置されて構成されている。第１大格子６８Ａの第１傾斜方向に沿った辺のうち、中格子７４と隣接する部分には、小格子７０の１つの辺が欠除した第１欠除部７６Ａが形成されている。中格子７４は、図９の例では、３個分の小格子７０が第２傾斜方向に配列された大きさを有する。
また、隣接する第１導電パターン６４Ａ間は電気的に絶縁された第１絶縁部７８Ａが配されている。
ここで、第１補助パターン６６Ａは、第１大格子１１８Ａの辺のうち、第１傾斜方向に沿った辺に沿って配列された複数の第１補助線８０Ａ（第２傾斜方向を軸線方向とする）と、第１大格子６８Ａの辺のうち、第２傾斜方向に沿った辺に沿って配列された複数の第１補助線８０Ａ（第１傾斜方向を軸線方向とする）と、第１絶縁部７８Ａにおいて、それぞれ２つの第１補助線８０ＡがＬ字状に組み合わされた２つの第１Ｌ字状パターン８２Ａが互いに対向して配置されたパターンとを有する。
【００２０】
第１大格子６８Ａの一辺の長さは、３〜１０ｍｍであることが好ましく、４〜６ｍｍであることがより好ましい。一辺の長さが、上記下限値未満であると、第１導電性フイルム１０Ａを例えばタッチパネルに利用した場合に、検出時の第１大格子６８Ａの静電容量が減るため、検出不良になる可能性が高くなる。他方、上記上限値を超えると、位置検出精度が低下する虞がある。同様の観点から、第１大格子６８Ａを構成する小格子７０の一辺の長さは、上述したように、１００〜４００μｍであることが好ましく、１５０〜３００μｍであることがさらに好ましく、最も好ましくは２１０〜２５０μｍ以下である。小格子７０が上記範囲である場合には、さらに透明性も良好に保つことが可能であり、表示装置の前面にとりつけた際に、違和感なく表示を視認することができる。
【００２１】
上述のように構成された第１導電性フイルム１０Ａは、図７に示すように、各第１導電パターン６４Ａの一方の端部側に存在する第１大格子６８Ａの開放端は、第１接続部７２Ａが存在しない形状となっている。各第１導電パターン６４Ａの他方の端部側に存在する第１大格子６８Ａの端部は、第１結線部８４ａを介して金属細線１６による第１端子配線パターン８６ａに電気的に接続されている。
すなわち、タッチパネル５０に適用した第１導電性フイルム１０Ａは、図６及び図７に示すように、センサ部６０に対応した部分に、上述した多数の第１導電パターン６４Ａが配列され、端子配線部６２には各第１結線部８４ａから導出された複数の第１端子配線パターン８６ａが配列されている。
図６の例では、第１導電性フイルム１０Ａの外形は、上面から見て長方形状を有し、センサ部６０の外形も長方形状を有する。端子配線部６２のうち、第１導電性フイルム１０Ａの一方の長辺側の周縁部には、その長さ方向中央部分に、複数の第１端子８８ａが前記一方の長辺の長さ方向に配列形成されている。また、センサ部６０の一方の長辺（第１導電性フイルム１０Ａの一方の長辺に最も近い長辺：ｎ方向）に沿って複数の第１結線部８４ａが直線状に配列されている。各第１結線部８４ａから導出された第１端子配線パターン８６ａは、第１導電性フイルム１０Ａの一方の長辺におけるほぼ中央部に向かって引き回され、それぞれ対応する第１端子８８ａに電気的に接続されている。
【００２２】
一方、第２導電性フイルム１０Ｂは、図７、図８Ａ及び図１２に示すように、第２透明基体１２Ｂ（図８Ａ参照）の一主面上に形成された第２導電部１４Ｂを有する。この第２導電部１４Ｂは、それぞれ垂直方向（ｎ方向）に延在し、且つ、水平方向（ｍ方向）に配列され、多数の格子にて構成された金属細線１６による２以上の第２導電パターン６４Ｂ（メッシュパターン）と、各第２導電パターン６４Ｂの周辺に配列された金属細線１６による第２補助パターン６６Ｂとを有する。
第２導電パターン６４Ｂは、２以上の第２大格子６８Ｂ（第２感知部）が垂直方向（ｎ方向）に直列に接続されて構成され、各第２大格子６８Ｂは、それぞれ２以上の小格子７０が組み合わされて構成されている。また、第２大格子６８Ｂの辺の周囲に、第２大格子６８Ｂと非接続とされた上述の第２補助パターン６６Ｂが形成されている。
【００２３】
ここで、第２大格子６８Ｂの大きさについて図１３を参照しながら説明する。先ず、第２大格子６８Ｂの４つの辺部（第５辺部６９ｅ〜第８辺部６９ｈ）のうち、水平方向に隣接する第５辺部６９ｅと第６辺部６９ｆの延長線との交点を第５頂点７１ｅ、同じく水平方向に隣接する第７辺部６９ｇ（第５辺部６９ｅと対向する辺部）と第８辺部６９ｈ（第６辺部６９ｆと対向する辺部）の延長線との交点を第６頂点７１ｆとする。
同様に、第２大格子６８Ｂの４つの辺部（第５辺部６９ｅ〜第８辺部６９ｈ）のうち、垂直方向に隣接する第５辺部６９ｅと第８辺部６９ｈとの交点を第７頂点７１ｇ、同じく垂直方向に隣接する第６辺部６９ｆと第７辺部６９ｇとの交点を第８頂点７１ｈとする。
【００２４】
そして、第５頂点７１ｅと第６頂点７１ｆ間の垂直方向（ｎ方向）に沿った距離Ｌｖｂを、第２大格子６８Ｂの第２方向に沿った長さとし、第７頂点７１ｇと第８頂点７１ｈ間の水平方向（ｍ方向）に沿った距離Ｌｈｂを、第２大格子６８Ｂの第１方向に沿った長さとする。
この場合に、第２大格子６８Ｂの大きさ、すなわち、第２大格子６８Ｂの縦横比（Ｌｖｂ／Ｌｈｂ）は、
０．５７＜Ｌｖｂ／Ｌｈｂ＜１．７４
を満足するように設定される。
【００２５】
水平方向（ｍ方向）がタッチパネル５０が設置される表示装置３０（図６参照）の画素の配列方向と同じであれば、上述の第２大格子６８Ｂの縦横比（Ｌｖｂ／Ｌｈｂ）は、０．５７＜Ｌｖｂ／Ｌｈｂ＜１．００あるいは１．００＜Ｌｖｂ／Ｌｈｂ＜１．７４に設定され、より好ましくは０．６２＜Ｌｖｂ／Ｌｈｂ＜０．８１あるいは１．２３＜Ｌｖｂ／Ｌｈｂ＜１．６１に設定される。
なお、第１傾斜方向（ｘ方向）は第２大格子１１８Ｂの第５辺部６９ｅ（及び第７辺部６９ｇ）に沿った方向となり、第２傾斜方向（ｙ方向）は第２大格子１６Ｂの第６辺部６９ｆ（及び第８辺部６９ｈ）に沿った方向となる。
【００２６】
隣接する第２大格子６８Ｂ間には、これら第２大格子６８Ｂを電気的に接続する金属細線１６による第２接続部７２Ｂが形成されている。第２接続部７２Ｂは、ｎ個（ｎは１より大きい実数）の小格子７０が第１傾斜方向（ｘ方向）に配列された大きさの中格子７４が配置されて構成されている。第２大格子６８Ｂの第２傾斜方向に沿った辺のうち、中格子７４と隣接する部分には、小格子７０の１つの辺が欠除した第２欠除部７６Ｂが形成されている。
また、隣接する第２導電パターン６４Ｂ間は電気的に絶縁された第２絶縁部７８Ｂが配されている。
第２補助パターン６６Ｂは、第２大格子６８Ｂの辺のうち、第１傾斜方向に沿った辺に沿って配列された複数の第２補助線８０Ｂ（第２傾斜方向を軸線方向とする）と、第２大格子６８Ｂの辺のうち、第２傾斜方向に沿った辺に沿って配列された複数の第２補助線８０Ｂ（第１傾斜方向を軸線方向とする）と、第２絶縁部７８Ｂにおいて、それぞれ２つの第２補助線８０ＢがＬ字状に組み合わされた２つの第２Ｌ字状パターン８２Ｂが互いに対向して配置されたパターンとを有する。
【００２７】
上述のように構成された第２導電性フイルム１０Ｂは、図６及び図７に示すように、１つ置き（例えば奇数番目）の第２導電パターン６４Ｂの一方の端部側に存在する第２大格子６８Ｂの開放端、並びに偶数番目の第２導電パターン６４Ｂの他方の端部側に存在する第２大格子６８Ｂの開放端には、それぞれ第２接続部７２Ｂが存在しない形状となっている。一方、奇数番目の各第２導電パターン６４Ｂの他方の端部側に存在する第２大格子６８Ｂの端部、並びに偶数番目の各第２導電パターン６４Ｂの一方の端部側に存在する第２大格子６８Ｂの端部は、それぞれ第２結線部８４ｂを介して金属細線１６による第２端子配線パターン８６ｂに電気的に接続されている。
すなわち、タッチパネル５０に適用した第２導電性フイルム１０Ｂは、図７に示すように、センサ部６０に対応した部分に、多数の第２導電パターン６４Ｂが配列され、端子配線部６２には各第２結線部８４ｂから導出された複数の第２端子配線パターン８６ｂが配列されている。
【００２８】
図６に示すように、端子配線部６２のうち、第２導電性フイルム１０Ｂの一方の長辺側の周縁部には、その長さ方向中央部分に、複数の第２端子８８ｂが前記一方の長辺の長さ方向に配列形成されている。また、センサ部６０の一方の短辺（第２導電性フイルム１０Ｂの一方の短辺に最も近い短辺：ｍ方向）に沿って複数の第２結線部８４ｂ（例えば奇数番目の第２結線部８４ｂ）が直線状に配列され、センサ部６０の他方の短辺（第２導電性フイルム１０Ｂの他方の短辺に最も近い短辺：ｍ方向）に沿って複数の第２結線部８４ｂ（例えば偶数番目の第２結線部８４ｂ）が直線状に配列されている。
複数の第２導電パターン６４Ｂのうち、例えば奇数番目の第２導電パターン６４Ｂが、それぞれ対応する奇数番目の第２結線部８４ｂに接続され、偶数番目の第２導電パターン６４Ｂが、それぞれ対応する偶数番目の第２結線部８４ｂに接続されている。奇数番目の第２結線部８４ｂから導出された第２端子配線パターン８６ｂ並びに偶数番目の第２結線部８４ｂから導出された第２端子配線パターン８６ｂは、第２導電性フイルム１０Ｂの一方の長辺におけるほぼ中央部に向かって引き回され、それぞれ対応する第２端子８８ｂに電気的に接続されている。
なお、第１端子配線パターン８６ａの導出形態を上述した第２端子配線パターン８６ｂと同様にし、第２端子配線パターン８６ｂの導出形態を上述した第１端子配線パターン８６ａと同様にしてもよい。
【００２９】
第２大格子６８Ｂの一辺の長さは、上述した第１大格子６８Ａと同様に、３〜１０ｍｍであることが好ましく、４〜６ｍｍであることがより好ましい。一辺の長さが、上記下限値未満であると、検出時の第２大格子６８Ｂの静電容量が減るため、検出不良になる可能性が高くなる。他方、上記上限値を超えると、位置検出精度が低下する虞がある。同様の観点から、第２大格子６８Ｂを構成する小格子７０の一辺の長さは１００〜４００μｍ以下が好ましく、さらに好ましくは１５０〜３００μｍであり、最も好ましくは２１０〜２５０μｍ以下である。小格子７０が上記範囲である場合には、さらに透明性も良好に保つことが可能であり、表示装置３０の表示パネル５８上にとりつけた際に、違和感なく表示を視認することができる。
第１補助パターン６６Ａ（第１補助線８０Ａ）及び第２補助パターン６６Ｂ（第２補助線８０Ｂ）の線幅はそれぞれ３０μｍ以下である。この場合、第１導電パターン６４Ａの線幅や第２導電パターン６４Ｂの線幅と同じでもよく、異なっていてもよい。ただ、第１導電パターン６４Ａ、第２導電パターン６４Ｂ、第１補助パターン６６Ａ及び第２補助パターン６６Ｂの各線幅を同じにすることが好ましい。
【００３０】
そして、例えば第２導電性フイルム１０Ｂ上に第１導電性フイルム１０Ａを積層して積層導電性フイルム５４としたとき、図１４に示すように、第１導電パターン６４Ａと第２導電パターン６４Ｂとが交差して配置された形態とされ、具体的には、第１導電パターン６４Ａの第１接続部７２Ａと第２導電パターン６４Ｂの第２接続部７２Ｂとが第１透明基体１２Ａ（図８Ａ参照）を間に挟んで対向し、第１導電部１４Ａの第１絶縁部７８Ａと第２導電部１４Ｂの第２絶縁部７８Ｂとが第１透明基体１２Ａを間に挟んで対向した形態となる。
積層導電性フイルム５４を上面から見たとき、図１４に示すように、第１導電性フイルム１０Ａに形成された第１大格子６８Ａの隙間を埋めるように、第２導電性フイルム１０Ｂの第２大格子６８Ｂが配列された形態となる。このとき、第１大格子６８Ａと第２大格子６８Ｂとの間に、第１補助パターン６６Ａと第２補助パターン６６Ｂとが対向することによる組合せパターン９０が形成される。組合せパターン９０は、図１５に示すように、第１補助線８０Ａの第１軸線９２Ａと第２補助線８０Ｂの第２軸線９２Ｂとが一致し、且つ、第１補助線８０Ａと第２補助線８０Ｂとが重ならず、且つ、第１補助線８０Ａの一端と第２補助線８０Ｂの一端とが一致し、これにより、小格子７０（メッシュ形状）の１つの辺を構成することとなる。つまり、組合せパターン９０は、２以上の小格子７０（メッシュ形状）が組み合わされた形態となる。その結果、積層導電性フイルム５４を上面から見たとき、図１４に示すように、多数の小格子７０（メッシュ形状）が敷き詰められた形態となる。
【００３１】
従って、表示装置３０の表示パネル５８上に積層導電性フイルム５４を設置すると、例えば図５に示すように、第１傾斜方向（ｘ方向）に延び、且つ、第２傾斜方向（ｙ方向）にピッチＰｓ（細線ピッチ）で並ぶ複数の金属細線１６と、第２傾斜方向に延び、且つ、第１傾斜方向に細線ピッチＰｓで並ぶ複数の金属細線１６とがそれぞれ交差して形成されたメッシュパターン２０となり、金属細線１６が、表示装置３０における画素３２の水平の配列方向（ｍ方向の配列）に対して一定の傾斜角度θを持つことになる。また、積層導電性フイルム５４における細線ピッチＰｓと、表示装置３０における１つの画素３２の対角線の長さＬａ１（あるいは縦方向に隣接する２つの画素３２の対角線の長さＬａ２）とがほぼ同じあるいは近接した値となり、積層導電性フイルム５４における金属細線１６の配列方向と、表示装置３０における１つの画素３２の対角線（あるいは縦方向に隣接する２つの画素３２の対角線）の方向もほぼ同じあるいは近接することとなる。その結果、画素３２の配列周期と金属細線１６の配列周期とのずれが小さくなり、モアレの発生が抑制されることになる。また、積層導電性フイルム５４間において第１大格子６８Ａの縦横比及び第２大格子６８Ｂの縦横比にばらつきがあってもモアレが発生しにくいという効果を得ることができ、積層導電性フイルム５４の歩留まりの向上を図ることができる。
【００３２】
そして、この積層導電性フイルム５４をタッチパネルとして使用する場合は、第１導電性フイルム１０Ａ上に保護層５６を形成し、第１導電性フイルム１０Ａの多数の第１導電パターン６４Ａから導出された第１端子配線パターン８６ａと、第２導電性フイルム１０Ｂの多数の第２導電パターン６４Ｂから導出された第２端子配線パターン８６ｂとを、例えばスキャンをコントロールする制御回路に接続する。
タッチ位置の検出方式としては、自己容量方式や相互容量方式を好ましく採用することができる。すなわち、自己容量方式であれば、第１導電パターン６４Ａに対して順番にタッチ位置検出のための電圧信号を供給し、第２導電パターン６４Ｂに対して順番にタッチ位置検出のための電圧信号を供給する。指先が保護層５６の上面に接触又は近接させることで、タッチ位置に対向する第１導電パターン６４Ａ及び第２導電パターン６４ＢとＧＮＤ（グランド）間の容量が増加することから、当該第１導電パターン６４Ａ及び第２導電パターン６４Ｂからの伝達信号の波形が他の導電パターンからの伝達信号の波形と異なった波形となる。従って、制御回路では、第１導電パターン６４Ａ及び第２導電パターン６４Ｂから供給された伝達信号に基づいてタッチ位置を演算する。一方、相互容量方式の場合は、例えば第１導電パターン６４Ａに対して順番にタッチ位置検出のための電圧信号を供給し、第２導電パターン６４Ｂに対して順番にセンシング（伝達信号の検出）を行う。指先が保護層５６の上面に接触又は近接させることで、タッチ位置に対向する第１導電パターン６４Ａと第２導電パターン６４Ｂ間の寄生容量に対して並列に指の浮遊容量が加わることから、当該第２導電パターン６４Ｂからの伝達信号の波形が他の第２導電パターン６４Ｂからの伝達信号の波形と異なった波形となる。従って、制御回路では、電圧信号を供給している第１導電パターン６４Ａの順番と、供給された第２導電パターン６４Ｂからの伝達信号に基づいてタッチ位置を演算する。このような自己容量方式又は相互容量方式のタッチ位置の検出方法を採用することで、保護層５６の上面に同時に２つの指先を接触又は近接させても、各タッチ位置を検出することが可能となる。なお、投影型静電容量方式の検出回路に関する先行技術文献として、米国特許第４，５８２，９５５号明細書、米国特許第４，６８６，３３２号明細書、米国特許第４，７３３，２２２号明細書、米国特許第５，３７４，７８７号明細書、米国特許第５，５４３，５８８号明細書、米国特許第７，０３０，８６０号明細書、米国公開特許２００４／０１５５８７１号明細書等がある。
【００３３】
次に第２の実施の形態について、図１６〜図２０を参照しながら説明する。第２の実施の形態に係る積層導電性フイルム１０４は、第１の実施の形態に係る積層導電性フイルム５４と同様、図１６に示すように第１導電性フイルム１１０Ａと第２導電性フイルム１１０Ｂとが積層されて構成され、例えば、図６に示すタッチパネル５０を有する表示装置３０のセンサ本体５２を構成し得る。また、導電性フイルム１１０（第１導電性フイルム１１０Ａ、第２導電性フイルム１１０Ｂ）は、例えば図３に示す表示装置３０の電磁波シールドフイルムや、タッチパネル用の導電性フイルムとして利用される。
【００３４】
第１導電性フイルム１１０Ａは、図１６、図１７Ａ及び図１８に示すように、第１透明基体１１２Ａ（図１７Ａ参照）の一主面上に形成された第１導電部１１４Ａを有する。この第１導電部１１４Ａは、それぞれ水平方向（ｍ方向）に延在し、且つ、水平方向と直交する垂直方向（ｎ方向）に配列され、多数の格子にて構成された金属細線１６による２以上の第１導電パターン１１６Ａ（メッシュパターン）と、各第１導電パターン１１６Ａの周辺に配列された金属細線１６による第１補助パターン１２０Ａとを有する。なお、水平方向（ｍ方向）は、例えば投影型静電容量方式のタッチパネル５０の水平方向（又は垂直方向）あるいはタッチパネル５０を設置した表示パネル５８の水平方向（又は垂直方向）を示す。小格子７０は、ここでは一番小さいひし形とされ、上述した第１の実施の形態の１つのメッシュ形状２２（図１及び図４参照）と同じ形状あるいは相似形状とされている。
【００３５】
従って、本実施の形態における小格子７０も第１の実施の形態と同様、図１１に示すように、小格子７０の縦横比（Ｌｖｓ／Ｌｈｓ）は、
０．５７＜Ｌｖｓ／Ｌｈｓ＜１．７４
を満足するように設定され、この場合も、水平方向がタッチパネル５０が設置される表示装置３０（図６参照）の画素の配列方向と同じであれば、上述の小格子７０の縦横比（Ｌｖｓ／Ｌｈｓ）は、０．５７＜Ｌｖｓ／Ｌｈｓ＜１．００あるいは１．００＜Ｌｖｓ／Ｌｈｓ＜１．７４に設定され、より好ましくは０．６２＜Ｌｖｓ／Ｌｈｓ＜０．８１あるいは１．２３＜Ｌｖｓ／Ｌｈｓ＜１．６１に設定される。また、小格子７０の線幅、すなわち、金属細線１６の線幅は、上述したように、３０μｍ以下から選択可能であり、小格子７０の一辺の長さは１００μｍ以上４００μｍ以下から選択可能である。
【００３６】
各第１導電パターン１１６Ａは、２以上の第１大格子１１８Ａ（第１感知部）が水平方向（ｍ方向）に直列に接続されて構成され、各第１大格子１１８Ａは、それぞれ２以上の小格子７０が組み合わされて構成されている。また、第１大格子１１８Ａの辺の周囲に、第１大格子１１８Ａと非接続とされた上述の第１補助パターン１２０Ａが形成されている。
【００３７】
第１大格子１１８Ａは、略ひし形状を有し、その各斜辺には、１以上の段差１２２を有する第１階段状パターン１２４Ａが形成されている。段差１２２の高さは、小格子７０の高さの整数倍に等しい。図１８の例では、第１大格子１１８Ａの斜辺には、２つの段差１２２が垂直方向の頂角部から水平方向の頂角部に向かって、３個目と７個目の小格子７０の位置に段差１２２が形成されており、その段差１２２の高さは、１個の小格子７０の高さに等しくなっている。また、第１階段状パターン１２４Ａは、第１大格子１１８Ａにおける垂直方向の頂角部から水平方向の頂角部に向かって、段差１２２を介して小格子７０の列が減少する構成を有している。
【００３８】
第１大格子１１８Ａは、上記したように略ひし形状であるが、より詳細には、水平方向の頂角の小格子７０が欠除したソロバン珠形状を有している。すなわち、水平方向の２つの頂角部には、それぞれ垂直方向にｒ個（ｒは１より大きい整数）の小格子７０が並んだ第１上底部１２６Ａが形成され、垂直方向の２つの頂角部には、１つの小格子７０が位置して、それ自体が頂角をなしている。図１８では、第１大格子１１８Ａの水平方向の２つの頂角部に、それぞれ垂直方向に４個の小格子７０が並び、第１上底部１２６Ａを構成している。
【００３９】
なお、この場合に、第１大格子１１８Ａの縦横比（Ｌｖａ／Ｌｈａ）を、便宜的に第１大格子１１８Ａに内包される最大の大きさのひし形、すなわち水平方向の２つの第１上底部１２６Ａ間に形成されるひし形の縦横比を用いて表すと、
０．５７＜Ｌｖａ／Ｌｈａ＜１．７４
を満足するように設定される。
水平方向（ｍ方向）がタッチパネル５０が設置される表示装置３０（図６参照）の画素の配列方向と同じであれば、上述の第１大格子１１８Ａの縦横比（Ｌｖａ／Ｌｈａ）は、０．５７＜Ｌｖａ／Ｌｈａ＜１．００あるいは１．００＜Ｌｖａ／Ｌｈａ＜１．７４に設定され、より好ましくは０．６２＜Ｌｖａ／Ｌｈａ＜０．８１あるいは１．２３＜Ｌｖａ／Ｌｈａ＜１．６１に設定される。
【００４０】
さらに、第１大格子１１８Ａの水平方向の２つの第１上底部１２６Ａと、第１傾斜方向（ｘ方向）の斜辺とが隣接する部分には、小格子７０の一辺が欠除した第１欠除部１２８Ａが設けられている。
【００４１】
図１８に示すように、水平方向に隣接する第１大格子１１８Ａ間には、これら第１大格子１１８Ａを接続する金属細線１６による第１接続部１３２Ａが形成されている。第１接続部１３２Ａは、ｎ個（ｎは１より大きい整数）の小格子７０が第２傾斜方向（ｙ方向）に配列された大きさの第１中格子１３４Ａと、小格子７０が第２傾斜方向にｐ個（ｐは１より大きい整数）、第１傾斜方向にｑ個（ｑは１より大きい整数）の小格子７０がｐ×ｑで配列された大きさの第１中格子１３６Ａによって構成されている。図１８の例では、第１中格子１３４Ａは、ｎが７であり、７個分の小格子７０が第２傾斜方向に配列された大きさを有し、第１中格子１３６Ａは、第２傾斜方向のｐが３、第１傾斜方向のｑが５であり、合計１５個分の小格子７０が配列された大きさを有する。
【００４２】
また、第１中格子１３６Ａと第１大格子１１８Ａとが隣接する部分には、上記した小格子７０の１つの辺が欠除した第１欠除部１２８Ａが位置している。
【００４３】
さらに、水平方向に隣接する第１導電パターン１１６Ａ間は、それぞれの第１大格子１１８Ａを互いに非接続とする第１非接続部１３８Ａが配されている。
【００４４】
第１導電部１１４Ａには、第１大格子１１８Ａの辺の周囲に、第１大格子１１８Ａと非接続とされた上述の第１補助パターン１２０Ａが形成されている。ここで、第１補助パターン１２０Ａは、第１大格子１１８Ａの斜辺のうち、第１傾斜方向に沿った斜辺の第１階段状パターン１２４Ａに沿って配列された複数の第１補助線１３０Ａ（第２傾斜方向を軸線方向とする）、第１補助線１３０Ａ（第１傾斜方向を軸線方向とする）と、第１大格子１１８Ａの斜辺のうち、第２傾斜方向に沿った斜辺の第１階段状パターン１２４Ａに沿って配列された複数の第１補助線１３０Ａ、（第１傾斜方向を軸線方向とする）と第１補助線１３０Ａ（第２傾斜方向を軸線方向とする）と、２つの第１補助線１３０ＡがＬ字状に組み合わされた第１Ｌ字状パターン１３１Ａとを有する。
【００４５】
各第１補助線１３０Ａの軸線方向の長さは、小格子７０の内周に沿った１つの辺の１／２の長さを有する。また、各第１補助線１３０Ａは、第１大格子１１８Ａから所定距離だけ離間した位置に形成されている。前記所定距離は、小格子７０の内周に沿った１つの辺の１／２である。
【００４６】
第１Ｌ字状パターン１３１Ａには、第１階段状パターン１２４Ａの段差１２２近傍において第１傾斜方向を軸線方向とする第１補助線１３０Ａと、第２傾斜方向を軸線方向とする第１補助線１３０Ａとが組み合わされ、段差１２２の隅部に対向する第１Ｌ字状パターン１３１Ａと、第１大格子１１８Ａ間の第１非接続部１３８Ａに配置される第１Ｌ字状パターン１３１Ａとを有する。図１８に示すように、第１非接続部１３８Ａに配置される第１Ｌ字状パターン１３１Ａは、一つの第１大格子１１８Ａの垂直方向の頂角部近傍に配置された２つの第１補助線１３０Ａと、他の隣接する第１大格子１１８Ａの頂角部近傍に配置された２つの第１補助線１３０Ａとが、組み合わされることによって、２つの第１Ｌ字状パターン１３１Ａが、水平方向に沿って互いに対向するように形成される。
【００４７】
第１大格子１１８Ａを構成する小格子７０の一辺の長さは、上述したように、５０μｍ以上であることが好ましく、１００〜４００μｍであることがより好ましく、１５０〜３００μｍであることがさらに好ましく、最も好ましくは２１０〜２５０μｍ以下である。小格子７０が上記範囲である場合には、さらに透明性も良好に保つことが可能であり、表示装置の前面にとりつけた際に、違和感なく表示を視認することができる。
【００４８】
上述のように構成された第１導電性フイルム１１０Ａは、図１６に示すように、各第１導電パターン１１６Ａの一方の端部側に存在する第１大格子１１８Ａの開放端は、第１接続部１３２Ａが存在しない形状となっている。各第１導電パターン１１６Ａの他方の端部側に存在する第１大格子１１８Ａの端部は、第１結線部８４ａを介して金属細線１６による第１端子配線パターン８６ａに接続されている。
【００４９】
一方、第２導電性フイルム１１０Ｂは、図１６、図１７Ａ及び図１９に示すように、第２透明基体１１２Ｂ（図１７Ａ参照）の一主面上に形成された第２導電部１１４Ｂを有する。この第２導電部１１４Ｂは、それぞれ垂直方向（ｎ方向）に延在し、且つ、水平方向（ｍ方向）に配列され、多数の格子にて構成された金属細線１６による２以上の第２導電パターン１１６Ｂ（メッシュパターン）と、各第２導電パターン１１６Ｂの周辺に配列された金属細線１６による第２補助パターン１２０Ｂとを有する。
【００５０】
各第２導電パターン１１６Ｂは、２以上の第２大格子（第２感知部）１１８Ｂが垂直方向（ｎ方向）に直列に接続されて構成され、各第２大格子１１８Ｂは、それぞれ２以上の小格子７０が組み合わされて構成されている。また、第２大格子１１８Ｂの辺の周囲に、第２大格子１１８Ｂと非接続とされた上述の第２補助パターン１２０Ｂが形成されている。
【００５１】
第２大格子１１８Ｂは、略ひし形状を有し、その各斜辺には、１以上の段差１２２を有する第２階段状パターン１２４Ｂが形成されている。段差１２２の高さは、小格子７０の高さの整数倍に等しい。図１９の例では、第２大格子１１８Ｂの斜辺には、２つの段差１２２が小格子７０の４個分の間隔で形成されており、その段差１２２の高さは、１個の小格子７０の高さに等しくなっている。また、第２階段状パターン１２４Ｂは、第２大格子１１８Ｂにおける水平方向の頂角部から垂直方向の頂角部に向かって、段差１２２を介して小格子７０の列が増加する構成を有している。
【００５２】
第２大格子１１８Ｂは、上記したように略ひし形状であるが、より詳細には、垂直方向の頂角の小格子７０が欠除したソロバン珠形状を有している。すなわち、垂直方向の２つの頂角部には、それぞれ水平方向にｒ個（ｒは１より大きい整数）の小格子７０が並んだ第２上底部１２６Ｂが形成され、水平方向の２つの頂角部には、１つの小格子７０が位置して、それ自体が頂角をなしている。図１９では、第２大格子１１８Ｂの垂直方向の２つの頂角部に、それぞれ水平方向に４個の小格子７０が並び、第２上底部１２６Ｂを構成している。
【００５３】
なお、この場合に、第２大格子１１８Ｂの縦横比（Ｌｖａ／Ｌｈａ）を、便宜的に第２大格子１１８Ｂに内包される最大の大きさのひし形、すなわち水平方向の２つの頂角部間に形成されるひし形の縦横比を用いて表すと、
０．５７＜Ｌｖａ／Ｌｈａ＜１．７４
を満足するように設定される。
水平方向（ｍ方向）がタッチパネル５０が設置される表示装置３０（図６参照）の画素の配列方向と同じであれば、上述の第２大格子１１８Ｂの縦横比（Ｌｖａ／Ｌｈａ）は、０．５７＜Ｌｖａ／Ｌｈａ＜１．００あるいは１．００＜Ｌｖａ／Ｌｈａ＜１．７４に設定され、より好ましくは０．６２＜Ｌｖａ／Ｌｈａ＜０．８１あるいは１．２３＜Ｌｖａ／Ｌｈａ＜１．６１に設定される。
【００５４】
さらに、第２大格子１１８Ｂの垂直方向の２つの第２上底部１２６Ｂと、第２傾斜方向の斜辺とが隣接する部分には、小格子７０の一辺が欠除した第２欠除部１２８Ｂが設けられている。
【００５５】
図１９に示すように、垂直方向に隣接する第２大格子１１８Ｂ間には、これら第２大格子１１８Ｂを接続する金属細線１６による第２接続部１３２Ｂが形成されている。第２接続部１３２Ｂは、ｎ個（ｎは１より大きい整数）の小格子７０が第１傾斜方向に配列された大きさの第２中格子１３４Ｂと、小格子７０が第１傾斜方向にｐ個（ｐは１より大きい整数）、第２傾斜方向にｑ個（ｑは１より大きい整数）の小格子７０がｐ×ｑで配列された大きさの第２中格子１３６Ｂによって構成されている。図１９の例では、第２中格子１３４Ｂは、ｎが７であり、７個分の小格子７０が第１傾斜方向に配列された大きさを有し、第２中格子１３６Ｂは、第１傾斜方向のｐが３、第２傾斜方向のｑが５であり、合計１５個分の小格子７０が配列された大きさを有する。
【００５６】
また、第２中格子１３６Ｂと第２大格子１１８Ｂとが隣接する部分には、上記した小格子７０の１つの辺が欠除した第２欠除部１２８Ｂが位置している。
【００５７】
さらに、水平方向に隣接する第２導電パターン１１６Ｂ間は、それぞれの第２大格子１１８Ｂを互いに非接続とする第２非接続部１３８Ｂが配されている。
【００５８】
第２導電部１１４Ｂには、第２大格子１１８Ｂの辺の周囲に、第２大格子１１８Ｂと非接続とされた上述の第２補助パターン１２０Ｂが形成されている。ここで、第２補助パターン１２０Ｂは、第２大格子１１８Ｂの斜辺のうち、第２傾斜方向に沿った斜辺の第１階段状パターン１２４Ｂに沿って配列された複数の第２補助線１３０Ｂ（第１傾斜方向を軸線方向とする）、第２補助線１３０Ｂ（第２傾斜方向を軸線方向とする）と、第２大格子１１８Ｂの斜辺のうち、第２傾斜方向に沿った斜辺の第１階段状パターン１２４Ｂに沿って配列された複数の第２補助線１３０Ｂ、（第２傾斜方向を軸線方向とする）と第２補助線１３０Ｂ（第２傾斜方向を軸線方向とする）と、２つの第２補助線１３０ＢがＬ字状に組み合わされた第２Ｌ字状パターン１３１Ｂとを有する。
【００５９】
各第２補助線１３０Ｂの軸線方向の長さは、上述した第１補助線１３０Ａと同様に、小格子７０の内周に沿った１つの辺の１／２の長さを有する。また、各第２補助線１３０Ｂは、第２大格子１１８Ｂから所定距離だけ離間した位置に形成されている。この所定距離についても、上述した第１補助線１３０Ａと同様に、小格子７０の内周に沿った１つの辺の１／２である。
【００６０】
第２Ｌ字状パターン１３１Ｂには、第１階段状パターン１２４Ｂの段差１２２近傍において第２傾斜方向を軸線方向とする第２補助線１３０Ｂと、第２傾斜方向を軸線方向とする第２補助線１３０Ｂとが組み合わされ、段差１２２の隅部に対向する第２Ｌ字状パターン１３１Ｂと、第２大格子１１８Ｂ間の第２非接続部１３８Ｂに配置される第２Ｌ字状パターン１３１Ｂとを有する。図１９に示すように、第２非接続部１３８Ｂに配置される第２Ｌ字状パターン１３１Ｂは、一つの第２大格子１１８Ｂの水平方向の頂角部近傍に配置された２つの第２補助線１３０Ｂと、他の隣接する第２大格子１１８Ｂの頂角部近傍に配置された２つの第２補助線１３０Ｂとが、組み合わされることによって、２つの第２Ｌ字状パターン１３１Ｂが、垂直方向に沿って互いに対向するように形成される。
【００６１】
第２大格子１１８Ｂを構成する小格子７０の一辺の長さは、上述したように、５０μｍ以上であることが好ましく、１００〜４００μｍであることがより好ましく、１５０〜３００μｍであることがさらに好ましく、最も好ましくは２１０〜２５０μｍ以下である。小格子７０が上記範囲である場合には、さらに透明性も良好に保つことが可能であり、表示装置の前面にとりつけた際に、違和感なく表示を視認することができる。
【００６２】
上述のように構成された第２導電性フイルム１１０Ｂは、図１６に示すように、１つ置き（例えば奇数番目）の第２導電パターン１１６Ｂの一方の端部側に存在する第２大格子１１８Ｂの開放端、並びに偶数番目の第２導電パターン１１６Ｂの他方の端部側に存在する第２大格子１１８Ｂの開放端には、それぞれ第２接続部１３２Ｂが存在しない形状となっている。一方、奇数番目の各第２導電パターン１１６Ｂの他方の端部側に存在する第２大格子１１８Ｂの端部、並びに偶数番目の各第２導電パターン１１６Ｂの一方の端部側に存在する第２大格子１１８Ｂの端部は、それぞれ第２結線部８４ｂを介して金属細線１６による第２端子配線パターン８６ｂに接続されている。そして、第１の実施の形態と同様にタッチパネル５０に適用される。
【００６３】
また、第１導電パターン１１６Ａ（第１大格子１１８Ａ、第１接続部１３２Ａ）の線幅、並びに第２導電パターン１１６Ｂ（第２大格子１１８Ｂ、第２接続部１３２Ｂ）の線幅は、それぞれ下限は１μｍ以上、３μｍ以上、４μｍ以上、もしくは５μｍ以上が好ましく、上限は１５μｍ以下、１０μｍ以下、９μｍ以下、８μｍ以下が好ましい。線幅が上記下限値未満の場合には、導電性が不十分となるためタッチパネルに使用した場合に、検出感度が不十分となる。他方、上記上限値を越えると金属細線１６に起因するモアレが顕著になったり、タッチパネルに使用した際に視認性が悪くなったりする。なお、上記範囲にあることで、金属細線１６による導電パターンのモアレが改善され、視認性が特によくなる。また、少なくとも第１透明基体１１２Ａの厚みは７５μｍ以上３５０μｍ以下が好ましく、さらに好ましくは８０μｍ以上２５０μｍであり、特に好ましくは１００μｍ以上２００μｍ以下となっている。
【００６４】
第１補助パターン１２０Ａ（第１補助線１３０Ａ）及び第２補助パターン１２０Ｂ（第２補助線１３０Ｂ）の線幅は、それぞれ下限は１μｍ以上、３μｍ以上、４μｍ以上、もしくは５μｍ以上が好ましく、上限は１５μｍ以下、１０μｍ以下、９μｍ以下、８μｍ以下が好ましい。この場合、第１導電パターン１１６Ａの線幅や第２導電パターン１１６Ｂの線幅と同じでもよく、異なっていてもよい。ただ、第１導電パターン１１６Ａ、第２導電パターン１１６Ｂ、第１補助パターン１２０Ａ及び第２補助パターン１２０Ｂの各線幅を同じにすることが好ましい。
【００６５】
そして、例えば第２導電性フイルム１１０Ｂ上に第１導電性フイルム１１０Ａを積層して積層導電性フイルム１０４としたとき、図２０に示すように、第１導電パターン１１６Ａと第２導電パターン１１６Ｂとが交差して配置された形態とされ、具体的には、第１導電パターン１１６Ａの第１接続部１３２Ａと第２導電パターン１１６Ｂの第２接続部１３２Ｂとが第１透明基体１１２Ａ（図１７Ａ参照）を間に挟んで対向し、第１導電部１１４Ａの第１非接続部１３８Ａと第２導電部１１４Ｂの第２非接続部１３８Ｂとが第１透明基体１１２Ａを間に挟んで対向した形態となる。
【００６６】
積層導電性フイルム１０４を上面から見たとき、図２０に示すように、第１導電性フイルム１１０Ａに形成された第１大格子１１８Ａの隙間を埋めるように、第２導電性フイルム１１０Ｂの第２大格子１１８Ｂが配列された形態となる。
【００６７】
このとき、第１接続部１３２Ａと第２接続部１３２Ｂとが対向すること、すなわち、第１中格子１３４Ａと第２中格子１３４Ｂとが対向し、第１中格子１３６Ａと第２中格子１３６Ｂとが対向することにより、略長方形状の組合せパターン１４０が形成される。この組合せパターン１４０において、第１中格子１３４Ａと第２中格子１３４Ｂとは対角線上に配置される。図１８と図１９で示す第１接続部１３２Ａと第２接続部１３２Ｂとによって形成される組合せパターン１４０は、対角線上に小格子７０が７個、４辺に小格子７０が４個ずつ並んだ合計２５個の小格子７０から構成される。なお、組合せパターン１４０の頂角に位置する第１中格子１３４Ａの小格子７０の一辺は、第２大格子１１８Ｂおける第１欠除部１２８Ａの欠除した一辺を補い、第２中格子１３４Ｂの小格子７０の一辺は、第１大格子１１８Ａおける第１欠除部１２８Ａの欠除した一辺を補う。
【００６８】
さらに、第１大格子１１８Ａと第２大格子１１８Ｂとの間に、第１補助パターン１２０Ａと第２補助パターン１２０Ｂとが対向することによる組合せパターン１４２が形成される。組合せパターン１４２は、第１の実施の形態における図６に示した例と同様に、第１補助線１３０Ａの第１軸線と第２補助線１３０Ｂの第２軸線とが一致し、且つ、第１補助線１３０Ａと第２補助線１３０Ｂとが重ならず、且つ、第１補助線１３０Ａの一端と第２補助線１３０Ｂの一端とが一致し、これにより、小格子７０（メッシュ形状）の１つの辺を構成することとなる。
【００６９】
つまり、組合せパターン１４０と、１４２とは、２以上の小格子７０（メッシュ形状）が組み合わされた形態となる。その結果、積層導電性フイルム１０４を上面から見たとき、図２０に示すように、多数の小格子７０（メッシュ形状）が敷き詰められた形態となる。なお、このように第１補助線１３０Ａと第２補助線１３０Ｂとによって小格子７０の１つ辺を構成する位置が、第２の実施の形態における基準位置となる。
【００７０】
本実施の形態では、段差１２２を有する第１と第２の階段状パターン１２４Ａ、１２４Ｂとが配列されることにより、より一層、第１大格子１１８Ａと第２大格子１１８Ｂとの境界が目立たなくなり、視認性が向上する。
【００７１】
この積層導電性フイルム１０４をタッチパネルとして使用する場合は、第１導電性フイルム１１０Ａ上に保護層５６を形成し、第１導電性フイルム１１０Ａの多数の第１導電パターン１１６Ａから導出された第１端子配線パターン８６ａと、第２導電性フイルム１１０Ｂの多数の第２導電パターン１１６Ｂから導出された第２端子配線パターン８６ｂとを、例えばスキャンをコントロールする制御回路に接続する。
【００７２】
上述の第１と第２の実施の形態に係る積層導電性フイルム５４、１０４では、図７、図８Ａ、図１６、図１７Ａに示すように、例えば第１の実施の形態では、第１透明基体１２Ａの一主面に第１導電部１４Ａを形成し、第２透明基体１２Ｂの一主面に第２導電部１４Ｂを形成するようにしたが、その他、図８Ｂ、図１７Ｂに示すように、例えば第１の実施の形態において、第１透明基体１２Ａの一主面に第１導電部１４Ａを形成し、第１透明基体１２Ａの他主面に第２導電部１４Ｂを形成するようにしてもよい。この場合、第２透明基体１２Ｂが存在せず、第２導電部１４Ｂ上に、第１透明基体１２Ａが積層され、第１透明基体１２Ａ上に第１導電部１４Ａが積層された形態となる。また、第１導電性フイルム１０Ａと第２導電性フイルム１０Ｂとはその間に他の層が存在してもよく、第１導電パターン６４Ａと第２導電パターン６４Ｂとが絶縁状態であれば、それらが対向して配置されてもよい。
【００７３】
また、図６に示すように、第１導電性フイルム１０Ａと第２導電性フイルム１０Ｂの例えば各コーナー部に、第１導電性フイルム１０Ａと第２導電性フイルム１０Ｂの貼り合わせの際に使用する位置決め用の第１アライメントマーク９４ａ及び第２アライメントマーク９４ｂを形成することが好ましい。この第１アライメントマーク９４ａ及び第２アライメントマーク９４ｂは、第１導電性フイルム１０Ａと第２導電性フイルム１０Ｂを貼り合わせて積層導電性フイルム５４とした場合に、新たな複合アライメントマークとなり、この複合アライメントマークは、該積層導電性フイルム５４を表示パネル５８に設置する際に使用する位置決め用のアライメントマークとしても機能することになる。
上述の例では、第１導電性フイルム１０Ａ、１１０Ａ及び第２導電性フイルム１０Ｂ、１１０Ｂを投影型静電容量方式のタッチパネル５０に適用した例を示したが、その他、表面型静電容量方式のタッチパネルや、抵抗膜式のタッチパネルにも適用することができる。
また、上述の例では、導電性フイルム１０、１１０を主に電磁波シールドフイルムとタッチパネル用の積層導電性フイルムに使用した例を示したが、その他、表示装置３０の表示パネル５８に設置される光学フイルムとしても利用することができる。この場合、表示パネル５８全面に対応してメッシュパターンが形成された導電性フイルムとしてもよいし、あるいは表示画面５８ａ全面に対応してメッシュパターン２０が形成された導電性フイルム１０、１１０としてもよいし、表示画面５８ａ内の一部の領域（コーナー部、中央部等）に対応してメッシュパターンが形成された導電性フイルム１０、１１０としてもよい。
【００７４】
次に、導電性フイルム１０、１１０の製造方法について、第１の実施の形態を例に挙げて説明する。なお、第２の実施の形態においても、同様の方法を適用できることは勿論である。
【００７５】
導電性フイルム１０を製造する方法としては、例えば透明基体１２に感光性ハロゲン化銀塩を含有する乳剤層を有する感光材料を露光し、現像処理を施すことによって、露光部及び未露光部にそれぞれ金属銀部及び光透過性部を形成してメッシュパターン２０を形成するようにしてもよい。なお、さらに金属銀部に物理現像及び／又はめっき処理を施すことによって金属銀部に導電性金属を担持させるようにしてもよい。
あるいは、透明基体１２上に形成された銅箔上のフォトレジスト膜を露光、現像処理してレジストパターンを形成し、レジストパターンから露出する銅箔をエッチングすることによって、メッシュパターン２０を形成するようにしてもよい。
あるいは、透明基体１２上に金属微粒子を含むペーストを印刷し、ペーストに金属めっきを行うことによって、メッシュパターン２０を形成するようにしてもよい。
あるいは、透明基体１２上に、メッシュパターン２０をスクリーン印刷版又はグラビア印刷版によって印刷形成するようにしてもよい。
あるいは、透明基体１２上に、メッシュパターン２０をインクジェットにより形成するようにしてもよい。
【００７６】
次に、本実施の形態に係る導電性フイルム１０において、特に好ましい態様であるハロゲン化銀写真感光材料を用いる方法を中心にして述べる。
本実施の形態に係る導電性フイルム１０の製造方法は、感光材料と現像処理の形態によって、次の３通りの形態が含まれる。
（１）  物理現像核を含まない感光性ハロゲン化銀黒白感光材料を化学現像又は熱現像して金属銀部を該感光材料上に形成させる態様。
（２）  物理現像核をハロゲン化銀乳剤層中に含む感光性ハロゲン化銀黒白感光材料を溶解物理現像して金属銀部を該感光材料上に形成させる態様。
（３）  物理現像核を含まない感光性ハロゲン化銀黒白感光材料と、物理現像核を含む非感光性層を有する受像シートを重ね合わせて拡散転写現像して金属銀部を非感光性受像シート上に形成させる態様。
【００７７】
上記（１）の態様は、一体型黒白現像タイプであり、感光材料上に光透過性導電性膜等の透光性導電性膜が形成される。得られる現像銀は化学現像銀又は熱現像銀であり、高比表面のフィラメントである点で後続するめっき又は物理現像過程で活性が高い。
上記（２）の態様は、露光部では、物理現像核近縁のハロゲン化銀粒子が溶解されて現像核上に沈積することによって感光材料上に光透過性導電性膜等の透光性導電性膜が形成される。これも一体型黒白現像タイプである。現像作用が、物理現像核上への析出であるので高活性であるが、現像銀は比表面の小さい球形である。
上記（３）の態様は、未露光部においてハロゲン化銀粒子が溶解されて拡散して受像シート上の現像核上に沈積することによって受像シート上に光透過性導電性膜等の透光性導電性膜が形成される。いわゆるセパレートタイプであって、受像シートを感光材料から剥離して用いる態様である。
【００７８】
いずれの態様もネガ型現像処理及び反転現像処理のいずれの現像を選択することもできる（拡散転写方式の場合は、感光材料としてオートポジ型感光材料を用いることによってネガ型現像処理が可能となる）。
ここでいう化学現像、熱現像、溶解物理現像、拡散転写現像は、当業界で通常用いられている用語どおりの意味であり、写真化学の一般教科書、例えば菊地真一著「写真化学」（共立出版社、１９５５年刊行）、Ｃ．Ｅ．Ｋ．Ｍｅｅｓ編「Ｔｈｅ  Ｔｈｅｏｒｙ  ｏｆ  Ｐｈｏｔｏｇｒａｐｈｉｃ  Ｐｒｏｃｅｓｓｅｓ，  ４ｔｈ  ｅｄ．」（Ｍｃｍｉｌｌａｎ社、１９７７年刊行）に解説されている。本件は液処理に係る発明であるが、その他の現像方式として熱現像方式を適用する技術も参考にすることができる。例えば、特開２００４−１８４６９３号、同２００４−３３４０７７号、同２００５−０１０７５２号の各公報、特願２００４−２４４０８０号、同２００４−０８５６５５号の各明細書に記載された技術を適用することができる。
【００７９】
ここで、本実施の形態に係る導電性フイルム１０の各層の構成について、以下に詳細に説明する。
［透明基体１２］
透明基体１２としては、プラスチックフイルム、プラスチック板、ガラス板等を挙げることができる。
上記プラスチックフイルム及びプラスチック板の原料としては、例えば、ポリエチレンテレフタレート（ＰＥＴ）、ポリエチレンナフタレート（ＰＥＮ）等のポリエステル類；トリアセチルセルロース（ＴＡＣ）等を用いることができる。
透明基体１２としては、融点が約２９０℃以下であるプラスチックフイルム、又はプラスチック板が好ましく、特に、光透過性や加工性等の観点から、ＰＥＴが好ましい。
【００８０】
［銀塩乳剤層］
導電性フイルム１０の金属細線１６となる銀塩乳剤層は、銀塩とバインダーの他、溶媒や染料等の添加剤を含有する。
本実施の形態に用いられる銀塩としては、ハロゲン化銀等の無機銀塩及び酢酸銀等の有機銀塩が挙げられる。本実施の形態においては、光センサとしての特性に優れるハロゲン化銀を用いることが好ましい。
銀塩乳剤層の塗布銀量（銀塩の塗布量）は、銀に換算して１〜３０ｇ／ｍ2が好ましく、１〜２５ｇ／ｍ2がより好ましく、５〜２０ｇ／ｍ2がさらに好ましい。この塗布銀量を上記範囲とすることで、導電性フイルム１０とした場合に所望の表面抵抗を得ることができる。
【００８１】
本実施の形態に用いられるバインダーとしては、例えば、ゼラチン、ポリビニルアルコール（ＰＶＡ）、ポリビニルピロリドン（ＰＶＰ）、澱粉等の多糖類、セルロース及びその誘導体、ポリエチレンオキサイド、ポリビニルアミン、キトサン、ポリリジン、ポリアクリル酸、ポリアルギン酸、ポリヒアルロン酸、カルボキシセルロース等が挙げられる。これらは、官能基のイオン性によって中性、陰イオン性、陽イオン性の性質を有する。
本実施の形態の銀塩乳剤層中に含有されるバインダーの含有量は、特に限定されず、分散性と密着性を発揮し得る範囲で適宜決定することができる。銀塩乳剤層中のバインダーの含有量は、銀／バインダー体積比で１／４以上が好ましく、１／２以上がより好ましい。銀／バインダー体積比は、１００／１以下が好ましく、５０／１以下がより好ましい。また、銀／バインダー体積比は１／１〜４／１であることがさらに好ましい。１／１〜３／１であることが最も好ましい。銀塩乳剤層中の銀／バインダー体積比をこの範囲にすることで、塗布銀量を調整した場合でも抵抗値のばらつきを抑制し、均一な表面抵抗を有する導電性フイルム１０を得ることができる。なお、銀／バインダー体積比は、原料のハロゲン化銀量／バインダー量（重量比）を銀量／バインダー量（重量比）に変換し、さらに、銀量／バインダー量（重量比）を銀量／バインダー量（体積比）に変換することで求めることができる。
【００８２】
＜溶媒＞
銀塩乳剤層の形成に用いられる溶媒は、特に限定されるものではないが、例えば、水、有機溶媒（例えば、メタノール等のアルコール類、アセトン等のケトン類、ホルムアミド等のアミド類、ジメチルスルホキシド等のスルホキシド類、酢酸エチル等のエステル類、エーテル類等）、イオン性液体、及びこれらの混合溶媒を挙げることができる。
＜その他の添加剤＞
本実施の形態に用いられる各種添加剤に関しては、特に制限は無く、公知のものを好ましく用いることができる。
［その他の層構成］
銀塩乳剤層の上に図示しない保護層を設けてもよい。また、銀塩乳剤層よりも下に、例えば下塗り層を設けることもできる。
【００８３】
次に、導電性フイルム１０の作製方法の各工程について説明する。
［露光］
本実施の形態では、導電部１４を印刷方式によって施す場合を含むが、印刷方式以外は、導電部１４を露光と現像等によって形成する。すなわち、透明基体１２上に設けられた銀塩含有層を有する感光材料又はフォトリソグラフィ用フォトポリマーを塗工した感光材料への露光を行う。露光は、電磁波を用いて行うことができる。電磁波としては、例えば、可視光線、紫外線等の光、Ｘ線等の放射線等が挙げられる。さらに露光には波長分布を有する光源を利用してもよく、特定の波長の光源を用いてもよい。
【００８４】
［現像処理］
本実施の形態では、乳剤層を露光した後、さらに現像処理が行われる。現像処理は、銀塩写真フイルムや印画紙、印刷製版用フイルム、フォトマスク用エマルジョンマスク等に用いられる通常の現像処理の技術を用いることができる。
本発明における現像処理は、未露光部分の銀塩を除去して安定化させる目的で行われる定着処理を含むことができる。本発明における定着処理は、銀塩写真フイルムや印画紙、印刷製版用フイルム、フォトマスク用エマルジョンマスク等に用いられる定着処理の技術を用いることができる。
現像、定着処理を施した感光材料は、水洗処理や安定化処理を施されるのが好ましい。
現像処理後の露光部に含まれる金属銀部の質量は、露光前の露光部に含まれていた銀の質量に対して５０質量％以上の含有率であることが好ましく、８０質量％以上であることがさらに好ましい。露光部に含まれる銀の質量が露光前の露光部に含まれていた銀の質量に対して５０質量％以上であれば、高い導電性を得ることができるため好ましい。
【００８５】
以上の工程を経て導電性フイルム１０は得られる。得られた導電性フイルム１０の表面抵抗は０．１〜３００オーム／ｓｑ．の範囲にあることが好ましい。なお、表面抵抗は、導電性フィルムの用途によって異なるが、電磁波シールド用途の場合には、１０オーム／ｓｑ．以下であることが好ましく、０．１〜３オーム／ｓｑ．であることがより好ましい。また、タッチパネル用途の場合には、１〜７０オーム／ｓｑ．であることが好ましく、５〜５０オーム／ｓｑ．であることがより好ましく、５〜３０オーム／ｓｑ．であることがさらに好ましい。また、現像処理後の導電性フイルム１０に対しては、さらにカレンダー処理を行ってもよく、カレンダー処理により所望の表面抵抗に調整することができる。
【００８６】
［物理現像及びめっき処理］
本実施の形態では、前記露光及び現像処理により形成された金属銀部の導電性を向上させる目的で、前記金属銀部に導電性金属粒子を担持させるための物理現像及び／又はめっき処理を行ってもよい。本発明では物理現像又はめっき処理のいずれか一方のみで導電性金属粒子を金属銀部に担持させてもよく、物理現像とめっき処理とを組み合わせて導電性金属粒子を金属銀部に担持させてもよい。なお、金属銀部に物理現像及び／又はめっき処理を施したものを含めて「導電性金属部」と称する。
本実施の形態における「物理現像」とは、金属や金属化合物の核上に、銀イオン等の金属イオンを還元剤で還元して金属粒子を析出させることをいう。この物理現象は、インスタントＢ＆Ｗフイルム、インスタントスライドフイルムや、印刷版製造等に利用されており、本発明ではその技術を用いることができる。また、物理現像は、露光後の現像処理と同時に行っても、現像処理後に別途行ってもよい。
本実施の形態において、めっき処理は、無電解めっき（化学還元めっきや置換めっき）、電解めっき、又は無電解めっきと電解めっきの両方を用いることができる。本実施の形態における無電解めっきは、公知の無電解めっき技術を用いることができ、例えば、プリント配線板等で用いられている無電解めっき技術を用いることができ、無電解めっきは無電解銅めっきであることが好ましい。
【００８７】
［酸化処理］
本実施の形態では、現像処理後の金属銀部、並びに、物理現像及び／又はめっき処理によって形成された導電性金属部には、酸化処理を施すことが好ましい。酸化処理を行うことにより、例えば、光透過性部に金属が僅かに沈着していた場合に、該金属を除去し、光透過性部の透過性をほぼ１００％にすることができる。
［導電性金属部］
本実施の形態の導電性金属部の線幅（金属細線１６の線幅）は、３０μｍ以下が選択可能であり、下限は０．１μｍ以上、１μｍ以上、３μｍ以上、４μｍ以上、もしくは５μｍ以上が好ましく、上限は３０μｍ以下、１５μｍ以下、１０μｍ以下、９μｍ以下、８μｍ以下が好ましい。線幅が上記下限値未満の場合には、導電性が不十分となるためタッチパネル５０に使用した場合に、検出感度が不十分となる。他方、上記上限値を越えると導電性金属部に起因するモアレが顕著になったり、タッチパネル５０に使用した際に視認性が悪くなったりする。なお、上記範囲にあることで、導電性金属部のモアレが改善され、視認性が特によくなる。小格子７０の一辺の長さＰｓは１００μｍ以上４００μｍ以下であることが好ましく、さらに好ましくは１５０μｍ以上３００μｍ以下、最も好ましくは２１０μｍ以上２５０μｍ以下である。また、導電性金属部は、アース接続等の目的においては、線幅は２００μｍより広い部分を有していてもよい。
本実施の形態における導電性金属部は、可視光透過率の点から開口率は８５％以上であることが好ましく、９０％以上であることがさらに好ましく、９５％以上であることが最も好ましい。開口率とは、金属細線１６を除いた透光性部分が全体に占める割合であり、例えば、線幅６μｍ、一辺の長さが２４０μｍのひし形状の開口率は、９５％である。
【００８８】
［光透過性部］
本実施の形態における「光透過性部」とは、導電性フイルム１０のうち導電性金属部以外の透光性を有する部分を意味する。光透過性部における透過率は、前述のとおり、透明基体１２の光吸収及び反射の寄与を除いた３８０〜７８０ｎｍの波長領域における透過率の最小値で示される透過率が９０％以上、好ましくは９５％以上、さらに好ましくは９７％以上であり、さらにより好ましくは９８％以上であり、最も好ましくは９９％以上である。
露光方法に関しては、ガラスマスクを介した方法やレーザー描画によるパターン露光方式が好ましい。
【００８９】
［導電性フイルム１０］
本実施の形態に係る導電性フイルム１０における透明基体１２の厚さは、５〜３５０μｍであることが好ましく、３０〜１５０μｍであることがさらに好ましい。５〜３５０μｍの範囲であれば所望の可視光の透過率が得られ、且つ、取り扱いも容易である。
透明基体１２上に設けられる金属銀部の厚さは、透明基体１２上に塗布される銀塩含有層用塗料の塗布厚みに応じて適宜決定することができる。金属銀部の厚さは、０．００１ｍｍ〜０．２ｍｍから選択可能であるが、３０μｍ以下であることが好ましく、２０μｍ以下であることがより好ましく、０．０１〜９μｍであることがさらに好ましく、０．０５〜５μｍであることが最も好ましい。また、金属銀部はパターン状であることが好ましい。金属銀部は１層でもよく、２層以上の重層構成であってもよい。金属銀部がパターン状であり、且つ、２層以上の重層構成である場合、異なる波長に感光できるように、異なる感色性を付与することができる。これにより、露光波長を変えて露光すると、各層において異なるパターンを形成することができる。
【００９０】
導電性金属部の厚さは、タッチパネル５０の用途としては、薄いほど表示パネル５８の視野角が広がるため好ましく、視認性の向上の点でも薄膜化が要求される。このような観点から、導電性金属部に担持された導電性金属からなる層の厚さは、９μｍ未満であることが好ましく、０．１μｍ以上５μｍ未満であることがより好ましく、０．１μｍ以上３μｍ未満であることがさらに好ましい。
本実施の形態では、上述した銀塩含有層の塗布厚みをコントロールすることにより所望の厚さの金属銀部を形成し、さらに物理現像及び／又はめっき処理により導電性金属粒子からなる層の厚みを自在にコントロールできるため、５μｍ未満、好ましくは３μｍ未満の厚みを有する導電性フイルムであっても容易に形成することができる。
なお、本実施の形態に係る導電性フイルム１０の製造方法では、めっき等の工程は必ずしも行う必要はない。本実施の形態に係る導電性フイルム１０の製造方法では銀塩乳剤層の塗布銀量、銀／バインダー体積比を調整することで所望の表面抵抗を得ることができるからである。なお、必要に応じてカレンダー処理等を行ってもよい。
【００９１】
（現像処理後の硬膜処理）
銀塩乳剤層に対して現像処理を行った後に、硬膜剤に浸漬して硬膜処理を行うことが好ましい。硬膜剤としては、例えば、グルタルアルデヒド、アジポアルデヒド、２，３−ジヒドロキシ−１，４−ジオキサン等のジアルデヒド類及びほう酸等の特開平２−１４１２７９号に記載のものを挙げることができる。
本実施の形態に係る導電性フイルム１０には、反射防止層やハードコート層などの機能層を付与してもよい。
【００９２】
［カレンダー処理］
現像処理済みの金属銀部にカレンダー処理を施して平滑化するようにしてもよい。これによって金属銀部の導電性が顕著に増大する。カレンダー処理は、カレンダーロールにより行うことができる。カレンダーロールは通常一対のロールからなる。
カレンダー処理に用いられるロールとしては、エポキシ、ポリイミド、ポリアミド、ポリイミドアミド等のプラスチックロール又は金属ロールが用いられる。特に、両面に乳剤層を有する場合は、金属ロール同士で処理することが好ましい。片面に乳剤層を有する場合は、シワ防止の点から金属ロールとプラスチックロールの組み合わせとすることもできる。線圧力の上限値は１９６０Ｎ／ｃｍ（２００ｋｇｆ／ｃｍ、面圧に換算すると６９９．４ｋｇｆ／ｃｍ2）以上、さらに好ましくは２９４０Ｎ／ｃｍ（３００ｋｇｆ／ｃｍ、面圧に換算すると９３５．８ｋｇｆ／ｃｍ2）以上である。線圧力の上限値は、６８８０Ｎ／ｃｍ（７００ｋｇｆ／ｃｍ）以下である。
カレンダーロールで代表される平滑化処理の適用温度は１０℃（温調なし）〜１００℃が好ましく、より好ましい温度は、金属メッシュパターンや金属配線パターンの画線密度や形状、バインダ種によって異なるが、おおよそ１０℃（温調なし）〜５０℃の範囲にある。
【００９３】
なお、本発明は、下記表１及び表２に記載の公開公報及び国際公開パンフレットの技術と適宜組合わせて使用することができる。「特開」、「号公報」、「号パンフレット」等の表記は省略する。
【００９４】
【表１】
2012163933.tif 000003
【００９５】
【表２】
2012163933.tif 000004
【実施例】
【００９６】
以下に、本発明の実施例を挙げて本発明をさらに具体的に説明する。なお、以下の実施例に示される材料、使用量、割合、処理内容、処理手順等は、本発明の趣旨を逸脱しない限り適宜変更することができる。従って、本発明の範囲は以下に示す具体例により限定的に解釈されるべきものではない。
【００９７】
［第１実施例］
この第１実施例では、比較例１〜６、実施例１〜６０に係る積層導電性フイルムについて、開口率を算出し、さらに、モアレを評価した。比較例１〜６、実施例１〜６０の内訳並びに算出結果及び評価結果を表３及び表４に示す。
【００９８】
＜実施例１〜６０、比較例１〜６＞
（ハロゲン化銀感光材料）
水媒体中のＡｇ１５０ｇに対してゼラチン１０．０ｇを含む、球相当径平均０．１μｍの沃臭塩化銀粒子（Ｉ＝０．２モル％、Ｂｒ＝４０モル％）を含有する乳剤を調製した。
また、この乳剤中にはＫ3Ｒｈ2Ｂｒ9及びＫ2ＩｒＣｌ6を濃度が１０-7（モル／モル銀）になるように添加し、臭化銀粒子にＲｈイオンとＩｒイオンをドープした。この乳剤にＮａ2ＰｄＣｌ4を添加し、さらに塩化金酸とチオ硫酸ナトリウムを用いて金硫黄増感を行った後、ゼラチン硬膜剤と共に、銀の塗布量が１０ｇ／ｍ2となるように透明基体（ここでは、共にポリエチレンテレフタレート（ＰＥＴ））上に塗布した。この際、Ａｇ／ゼラチン体積比は２／１とした。
幅３０ｃｍのＰＥＴ支持体に２５ｃｍの幅で２０ｍ分塗布を行ない、塗布の中央部２４ｃｍを残すように両端を３ｃｍずつ切り落としてロール状のハロゲン化銀感光材料を得た。
【００９９】
（露光）
露光のパターンは、第１導電性フイルム１０Ａについては図７及び図９に示すパターンで、第２導電性フイルム１０Ｂについては図７及び図１２に示すパターンで、Ａ４サイズ（２１０ｍｍ×２９７ｍｍ）の第１透明基体１２Ａ及び第２透明基体１２Ｂに行った。露光は上記パターンのフォトマスクを介して高圧水銀ランプを光源とした平行光を用いて露光した。
【０１００】
（現像処理）
・現像液１Ｌ処方
ハイドロキノン                        ２０  ｇ
亜硫酸ナトリウム                      ５０  ｇ
炭酸カリウム                          ４０  ｇ
エチレンジアミン・四酢酸                ２  ｇ
臭化カリウム                            ３  ｇ
ポリエチレングリコール２０００          １  ｇ
水酸化カリウム                          ４  ｇ
ｐＨ                            １０．３に調整
・定着液１Ｌ処方
チオ硫酸アンモニウム液（７５％）    ３００  ｍｌ
亜硫酸アンモニウム・１水塩            ２５  ｇ
１，３−ジアミノプロパン・四酢酸        ８  ｇ
酢酸                                    ５  ｇ
アンモニア水（２７％）                  １  ｇ
ｐＨ                              ６．２に調整
上記処理剤を用いて露光済み感材を、富士フイルム社製自動現像機  ＦＧ−７１０ＰＴＳを用いて処理条件：現像３５℃  ３０秒、定着３４℃  ２３秒、水洗  流水（５Ｌ／分）の２０秒処理で行った。
【０１０１】
（実施例１）
作製した第１導電性フイルム１０Ａの第１導電部１４Ａにおける第１大格子６８Ａの縦横比（Ｌｖａ／Ｌｈａ）並びに第２導電性フイルム１０Ｂの第２導電部１４Ｂにおける第２大格子６８Ｂの縦横比（Ｌｖｂ／Ｌｈｂ）をそれぞれ０．５７７３、金属細線１６の細線ピッチＰｓを２００μｍ、金属細線１６の線幅を６μｍとして実施例１に係る積層導電性フイルムを作製した。
（実施例２〜４）
実施例２、３、４は、金属細線１６の細線ピッチＰｓをそれぞれ２２０μｍ、２４０μｍ、４００μｍとした点以外は実施例１と同様にして積層導電性フイルムを作製した。
（実施例５）
第１大格子６８Ａ及び第２大格子６８Ｂの縦横比をそれぞれ０．６２４８、金属細線１６の細線ピッチＰｓを２００μｍ、金属細線１６の線幅を６μｍとして実施例５に係る積層導電性フイルムを作製した。
（実施例６〜８）
実施例６、７、８は、金属細線１６の細線ピッチＰｓをそれぞれ２２０μｍ、２４０μｍ、４００μｍとした点以外は実施例５と同様にして積層導電性フイルムを作製した。
【０１０２】
（実施例９）
第１大格子６８Ａ及び第２大格子６８Ｂの縦横比をそれぞれ０．７２６６、金属細線１６の細線ピッチＰｓを２００μｍ、金属細線１６の線幅を６μｍとして実施例９に係る積層導電性フイルムを作製した。
（実施例１０〜１２）
実施例１０、１１、１２は、金属細線１６の細線ピッチＰｓをそれぞれ２２０μｍ、２４０μｍ、４００μｍとした点以外は実施例９と同様にして積層導電性フイルムを作製した。
（実施例１３）
第１大格子６８Ａ及び第２大格子６８Ｂの縦横比それぞれ０．７５３５、金属細線１６の細線ピッチＰｓを２００μｍ、金属細線１６の線幅を６μｍとして実施例１３に係る積層導電性フイルムを作製した。
（実施例１４〜１６）
実施例１４、１５、１６は、金属細線１６の細線ピッチＰｓをそれぞれ２２０μｍ、２４０μｍ、４００μｍとした点以外は実施例１３と同様にして積層導電性フイルムを作製した。
【０１０３】
（実施例１７）
第１大格子６８Ａ及び第２大格子６８Ｂの縦横比をそれぞれ０．８０９８、金属細線１６の細線ピッチＰｓを２００μｍ、金属細線１６の線幅を６μｍとして実施例１７に係る積層導電性フイルムを作製した。
（実施例１８〜２０）
実施例１８、１９、２０は、金属細線１６の細線ピッチＰｓをそれぞれ２２０μｍ、２４０μｍ、４００μｍとした点以外は実施例１７と同様にして積層導電性フイルムを作製した。
（実施例２１）
第１大格子６８Ａ及び第２大格子６８Ｂの縦横比をそれぞれ０．８３９１、金属細線１６の細線ピッチＰｓを２００μｍ、金属細線１６の線幅を６μｍとして実施例２１に係る積層導電性フイルムを作製した。
（実施例２２〜２４）
実施例２２、２３、２４は、金属細線１６の細線ピッチＰｓをそれぞれ２２０μｍ、２４０μｍ、４００μｍとした点以外は実施例２１と同様にして積層導電性フイルムを作製した。
【０１０４】
（実施例２５）
第１大格子６８Ａ及び第２大格子６８Ｂの縦横比をそれぞれ０．９６５７、金属細線１６の細線ピッチＰｓを２００μｍ、金属細線１６の線幅を６μｍとして実施例２５に係る積層導電性フイルムを作製した。
（実施例２６〜２８）
実施例２６、２７、２８は、金属細線１６の細線ピッチＰｓをそれぞれ２２０μｍ、２４０μｍ、４００μｍとした点以外は実施例２５と同様にして積層導電性フイルムを作製した。
（実施例２９）
第１大格子６８Ａ及び第２大格子６８Ｂの縦横比をそれぞれ１．００００、金属細線１６の細線ピッチＰｓを２００μｍ、金属細線１６の線幅を６μｍとして実施例２９に係る積層導電性フイルムを作製した。
（実施例３０〜３２）
実施例３０、３１、３２は、金属細線１６の細線ピッチＰｓをそれぞれ２２０μｍ、２４０μｍ、４００μｍとした点以外は実施例２９と同様にして積層導電性フイルムを作製した。
【０１０５】
（実施例３３）
第１大格子６８Ａ及び第２大格子６８Ｂの縦横比をそれぞれ１．０３５６、金属細線１６の細線ピッチＰｓを２００μｍ、金属細線１６の線幅を６μｍとして実施例３３に係る積層導電性フイルムを作製した。
（実施例３４〜３６）
実施例３４、３５、３６は、金属細線１６の細線ピッチＰｓをそれぞれ２２０μｍ、２４０μｍ、４００μｍとした点以外は実施例３３と同様にして積層導電性フイルムを作製した。
（実施例３７）
第１大格子６８Ａ及び第２大格子６８Ｂの縦横比をそれぞれ１．１９１７、金属細線１６の細線ピッチＰｓを２００μｍ、金属細線１６の線幅を６μｍとして実施例３７に係る積層導電性フイルムを作製した。
（実施例３８〜４０）
実施例３８、３９、４０は、金属細線１６の細線ピッチＰｓをそれぞれ２２０μｍ、２４０μｍ、４００μｍとした点以外は実施例３７と同様にして積層導電性フイルムを作製した。
【０１０６】
（実施例４１）
第１大格子６８Ａ及び第２大格子６８Ｂの縦横比をそれぞれ１．２３４９、金属細線１６の細線ピッチＰｓを２００μｍ、金属細線１６の線幅を６μｍとして実施例４１に係る積層導電性フイルムを作製した。
（実施例４２〜４４）
実施例４２、４３、４４は、金属細線１６の細線ピッチＰｓをそれぞれ２２０μｍ、２４０μｍ、４００μｍとした点以外は実施例４１と同様にして積層導電性フイルムを作製した。
（実施例４５）
第１大格子６８Ａ及び第２大格子６８Ｂの縦横比をそれぞれ１．３２７１、金属細線１６の細線ピッチＰｓを２００μｍ、金属細線１６の線幅を６μｍとして実施例４５に係る積層導電性フイルムを作製した。
（実施例４６〜４８）
実施例４６、４７、４８は、金属細線１６の細線ピッチＰｓをそれぞれ２２０μｍ、２４０μｍ、４００μｍとした点以外は実施例４５と同様にして積層導電性フイルムを作製した。
【０１０７】
（実施例４９）
第１大格子６８Ａ及び第２大格子６８Ｂの縦横比をそれぞれ１．３７６３、金属細線１６の細線ピッチＰｓを２００μｍ、金属細線１６の線幅を６μｍとして実施例４９に係る積層導電性フイルムを作製した。
（実施例５０〜５２）
実施例５０、５１、５２は、金属細線１６の細線ピッチＰｓをそれぞれ２２０μｍ、２４０μｍ、４００μｍとした点以外は実施例４９と同様にして積層導電性フイルムを作製した。
（実施例５３）
第１大格子６８Ａ及び第２大格子６８Ｂの縦横比をそれぞれ１．６００４、金属細線１６の細線ピッチＰｓを２００μｍ、金属細線１６の線幅を６μｍとして実施例５３に係る積層導電性フイルムを作製した。
（実施例５４〜５６）
実施例５４、５５、５６は、金属細線１６の細線ピッチＰｓをそれぞれ２２０μｍ、２４０μｍ、４００μｍとした点以外は実施例４９と同様にして積層導電性フイルムを作製した。
【０１０８】
（実施例５７）
第１大格子６８Ａ及び第２大格子６８Ｂの縦横比をそれぞれ１．７３２１、金属細線１６の細線ピッチＰｓを２００μｍ、金属細線１６の線幅を６μｍとして実施例５７に係る積層導電性フイルムを作製した。
（実施例５８〜６０）
実施例５８、５９、６０は、金属細線１６の細線ピッチＰｓをそれぞれ２２０μｍ、２４０μｍ、４００μｍとした点以外は実施例５７と同様にして積層導電性フイルムを作製した。
【０１０９】
（比較例１）
第１大格子６８Ａ及び第２大格子６８Ｂの縦横比をそれぞれ０．５５４３、金属細線１６の細線ピッチＰｓを２００μｍ、金属細線１６の線幅を６μｍとして比較例１に係る積層導電性フイルムを作製した。
（比較例２、３）
比較例２、３は、金属細線１６の細線ピッチＰｓをそれぞれ３００μｍ、４００μｍとした点以外は比較例１と同様にして積層導電性フイルムを作製した。
（比較例４）
第１大格子６８Ａ及び第２大格子６８Ｂの縦横比をそれぞれ１．８０４０、金属細線１６の細線ピッチＰｓを２００μｍ、金属細線１６の線幅を６μｍとして比較例４に係る積層導電性フイルムを作製した。
（比較例５、６）
比較例５、６は、金属細線１６の細線ピッチＰｓをそれぞれ３００μｍ、４００μｍとした点以外は比較例４と同様にして積層導電性フイルムを作製した。
【０１１０】
〔評価〕
（開口率の算出）
透明性の良否を確認するために、比較例１〜６、実施例１〜６０について、それぞれ積層導電性フイルムの透過率を分光光度計を用いて測定し、さらに比例計算によって開口率を算出した。
（モアレの評価）
比較例１〜６、実施例１〜６０について、積層導電性フイルムを表示装置３０の表示パネル５８上に貼り付けた後、表示装置３０を回転盤に設置し、表示装置３０を駆動して白色を表示させる。その状態で、回転盤をバイアス角−２０°〜＋２０°の間で回転し、モアレの目視観察・評価を行った。表示装置３０の水平画素ピッチＰｈ及び垂直画素ピッチＰｖはいずれも約１９２μｍであった。なお、評価用のディスプレイとしてＨＰ社製のＰａｖｉｌｉｏｎ  Ｎｏｔｅｂｏｏｋ  ＰＣ  ｄｍ１ａ（１１．６ｉｎｃｈ光沢液晶ＷＸＧＡ／１３６６×７６８）を使用した。
モアレの評価は、表示装置３０の表示画面から観察距離０．５ｍで行い、モアレが顕在化しなかった場合を○、モアレが問題のないレベルでほんの少し見られた場合を△、モアレが顕在化した場合を×とした。そして、総合評点として、○となる角度範囲が１０°以上の場合をＡ、○となる角度範囲が１０°未満の場合はＢ、○となる角度範囲がなく×となる角度範囲が３０°未満の場合はＣ、○となる角度範囲がなく×となる角度範囲が３０°以上ある場合をＤとした。
【０１１１】
【表３】
2012163933.tif 000005
【０１１２】
【表４】
2012163933.tif 000006
【０１１３】
表３及び表４から、比較例１〜６はいずれも評価がＤであり、モアレが顕在化していることがわかった。一方、実施例１〜６０は、実施例１、４、２１、２４、２５、２８〜３３、３６、３７、４０、５７、６０において、モアレがやや顕在化しているが問題のないレベルであった。これ以外の実施例のうち、実施例２、３、５、８、９、１２、１３、１６、１７、２０、２２、２３、２６、２７、３４、３５、３８、３９、４１、４４、４５、４８、４９、５２、５３、５６、５８、５９についてはほとんどモアレの発生がなく良好であった。特に、第１大格子６８Ａ及び第２大格子６８Ｂの縦横比が０．６２よりも大きく、且つ、０．８１未満、あるいは、１．２３より大きく、且つ、１．６１未満であって、金属細線１６の細線ピッチＰｓが２２０μｍ、２４０μｍである実施例６、７、１０、１１、１４、１５、１８、１９、４２、４３、４６、４７、５０、５１、５４、５５についてはモアレの発生はなかった。
【０１１４】
［第２実施例］
この第２実施例では、実施例６１〜１２０、比較例７〜１２に係る導電性フイルムについて、開口率を算出し、さらに、モアレを評価した。比較例７〜１２、実施例６１〜１２０の内訳並びに算出結果及び評価結果を表５及び表６に示す。
＜実施例６１〜１２０、比較例７〜１２＞
第１導電性フイルム１１０Ａについては図１８に示すパターンで、第２導電性フイルム１１０Ｂについては図２０に示すパターンで露光を行った点以外は、上記した第１実施例と同様にして導電性フイルムを作製し、評価した。なお、第１導電性フイルム１１０Ａの第１導電部１１４Ａにおける第１大格子１１８Ａの縦横比は、水平方向の２つの第１上底部１２６Ａ間に形成されるひし形の縦横比とし、第２導電性フイルム１１０Ｂの第２導電部１１４Ｂにおける第２大格子１１８Ｂの縦横比は、水平方向の２つの頂角部間に形成されるひし形の縦横比とした。
【０１１５】
（実施例６１）
第１導電性フイルム１１０Ａの第１導電部１１４Ａにおける第１大格子１１８Ａの縦横比（Ｌｖａ／Ｌｈａ）並びに第２導電性フイルム１１０Ｂの第２導電部１１４Ｂにおける第２大格子１１８Ｂの縦横比（Ｌｖｂ／Ｌｈｂ）をそれぞれ０．５７７３、金属細線１６の細線ピッチＰｓを２００μｍ、金属細線１６の線幅を６μｍとして実施例６１に係る積層導電性フイルムを作製した。
（実施例６２〜１２０、比較例７〜１２）
実施例６２〜１２０に係る積層導電性フイルムの作製は、それぞれ上記した実施例２〜６０に準拠して行った。また、比較例７〜１２に係る積層導電性フイルムの作製は、それぞれ上記した比較例１〜６に準拠して行った。
【０１１６】
【表５】
2012163933.tif 000007
【０１１７】
【表６】
2012163933.tif 000008
【０１１８】
表５及び表６から、比較例７〜１２はいずれも評価がＤであり、モアレが顕在化していることがわかった。一方、実施例６１〜１２０は、実施例６１、８１、８４、８５、８８、８９、９２、９３、１００、１１７、１２０において、モアレがやや顕在化しているが問題のないレベルであった。これ以外の実施例のうち、実施例６２〜６５、６８、６９、７２、７３、７６、７７、８０、８２、８３、８６、８７、９０、９１、９４〜９９、１０１、１０４、１０５、１０８、１０９、１１２、１１３、１１６、１１８、１１９についてはほとんどモアレの発生がなく良好であった。特に、第１大格子１１８Ａ及び第２大格子１１８Ｂの縦横比が０．６２よりも大きく、且つ、０．８１未満、あるいは、１．２３より大きく、且つ、１．６１未満であって、金属細線１６の細線ピッチＰｓが２２０μｍ、２４０μｍである実施例６６、６７、７０、７１、７４、７５、７８、７９、１０２、１０３、１０６、１０７、１１０、１１１、１１４、１１５についてはモアレの発生はなかった。
【０１１９】
また、上述した実施例１〜１２０に係る積層導電性フイルム５４、１０４を用いてそれぞれ投影型静電容量方式のタッチパネル５０を作製した。指で触れて操作したところ、応答速度が速く、検出感度に優れることがわかった。また２点以上をタッチして操作したところ、同様に良好な結果が得られ、マルチタッチにも対応できることが確認できた。
本発明に係る導電性フイルム及びタッチパネルは、上述の実施の形態に限らず、本発明の要旨を逸脱することなく、種々の構成を採り得ることはもちろんである。
【符号の説明】
【０１２０】
１０…導電性フイルム                    １０Ａ…第１導電性フイルム
１０Ｂ…第２導電性フイルム              １２…透明基体
１２Ａ…第１透明基体                    １２Ｂ…第２透明基体
１４…導電部                            １４Ａ…第１導電部
１４Ｂ…第２導電部                      １６…金属細線
３０…表示装置                          ３２…画素
５０…タッチパネル                      ５２…センサ本体
５４…積層導電性フイルム                ６４Ａ…第１導電パターン
６４Ｂ…第２導電パターン                ６８Ａ…第１大格子
６８Ｂ…第２大格子                      ７０…小格子
【図１】
2012163933.tif 000009
【図２】
2012163933.tif 000010
【図３】
2012163933.tif 000011
【図４】
2012163933.tif 000012
【図５】
2012163933.tif 000013
【図６】
2012163933.tif 000014
【図７】
2012163933.tif 000015
【図８】
2012163933.tif 000016
【図９】
2012163933.tif 000017
【図１０】
2012163933.tif 000018
【図１１】
2012163933.tif 000019
【図１２】
2012163933.tif 000020
【図１３】
2012163933.tif 000021
【図１４】
2012163933.tif 000022
【図１５】
2012163933.tif 000023
【図１６】
2012163933.tif 000024
【図１７】
2012163933.tif 000025
【図１８】
2012163933.tif 000026
【図１９】
2012163933.tif 000027
【図２０】
2012163933.tif 000028